(57)【要約】      （修正有）【課題】商業的意義のあるダニの飼育の分野に関するダニ組成物、担体及び方法を提供する。【解決手段】ダニ種個体の個体群と、前記ダニ種個体のための食物源と、３．０〜９．０ｍｍの平均最長軸を有する担体要素を含む前記ダニ種個体のための担体であって、前記担体要素の積み重なりがダニシェルターの構造を形成している担体とを含むダニ組成物。【選択図】図２
2018019713.tif 000002
【特許請求の範囲】
【請求項１】
ダニ種個体の個体群と、
前記ダニ種個体のための食物源と、
３．０〜９．０ｍｍの平均最長軸を有する担体要素を含む、前記ダニ種個体のための担
体であって、前記担体要素の積み重なりがダニシェルターの構造を形成している、担体と
を含むダニ組成物。
【請求項２】
前記ダニシェルターが、区域を含み、前記ダニ種個体がこの区域に位置する場合、前記
区域において、前記担体要素の材料が、直交性又は逆向きの関係を有する少なくとも３方
向において、その周囲から前記ダニ種個体を遮蔽する、請求項１に記載のダニ組成物。
【請求項３】
前記ダニシェルターが、空隙、例えば、窪み、凹部、孔、チャンバ、空洞、隙間、凹み
、ポケット、チューブ及び同様の構造により形成される空隙を含む、請求項１又は２に記
載のダニ組成物。
【請求項４】
前記担体要素が、もみ殻に由来する、請求項１〜３のいずれか１項に記載のダニ組成物
。
【請求項５】
前記もみ殻が、草種（イネ科植物）由来またはアワ由来のもみ殻である、請求項４に記
載のダニ組成物。
【請求項６】
前記ダニ種が、
以下：
ｉ）Ｐｈｙｔｏｓｅｉｉｄａｅ、例えば、
Ａｍｂｌｙｓｅｉｉｎａｅ亜科、例えば、Ａｍｂｌｙｓｅｉｕｓ属、例えば、Ａｍｂｌ
ｙｓｅｉｕｓ  ａｎｄｅｒｓｏｎｉ、Ａｍｂｌｙｓｅｉｕｓ  ａｅｒｉａｌｉｓ、Ａｍｂ
ｌｙｓｅｉｕｓ  ｓｗｉｒｓｋｉｉ、Ａｍｂｌｙｓｅｉｕｓ  ｈｅｒｂｉｃｏｌｕｓ又は
Ａｍｂｌｙｓｅｉｕｓ  ｌａｒｇｏｅｎｓｉｓ、Ｅｕｓｅｉｕｓ属、例えば、Ｅｕｓｅｉ
ｕｓ  ｆｉｎｌａｎｄｉｃｕｓ、Ｅｕｓｅｉｕｓ  ｈｉｂｉｓｃｉ、Ｅｕｓｅｉｕｓ  ｏ
ｖａｌｉｓ、Ｅｕｓｅｉｕｓ  ｖｉｃｔｏｒｉｅｎｓｉｓ、Ｅｕｓｅｉｕｓ  ｓｔｉｐｕ
ｌａｔｕｓ、Ｅｕｓｅｉｕｓ  ｓｃｕｔａｌｉｓ、Ｅｕｓｅｉｕｓ  ｔｕｌａｒｅｎｓｉ
ｓ、Ｅｕｓｅｉｕｓ  ａｄｄｏｅｎｓｉｓ、Ｅｕｓｅｉｕｓ  ｃｏｎｃｏｒｄｉｓ、Ｅｕ
ｓｅｉｕｓ  ｈｏ又はＥｕｓｅｉｕｓ  ｃｉｔｒｉ、Ｎｅｏｓｅｉｕｌｕｓ属、例えば、
Ｎｅｏｓｅｉｕｌｕｓ  ｂａｒｋｅｒｉ、Ｎｅｏｓｅｉｕｌｕｓ  ｃａｌｉｆｏｒｎｉｃ
ｕｓ、Ｎｅｏｓｅｉｕｌｕｓ  ｃｕｃｕｍｅｒｉｓ、Ｎｅｏｓｅｉｕｌｕｓ  ｌｏｎｇｉ
ｓｐｉｎｏｓｕｓ、Ｎｅｏｓｅｉｕｌｕｓ  ｗｏｍｅｒｓｌｅｙｉ、Ｎｅｏｓｅｉｕｌｕ
ｓ  ｉｄａｅｕｓ、Ｎｅｏｓｅｉｕｌｕｓ  ａｎｏｎｙｍｕｓ、Ｎｅｏｓｅｉｕｌｕｓ  
ｐａｓｐａｌｉｖｏｒｕｓ、Ｎｅｏｓｅｉｕｌｕｓ  ｒｅｄｕｃｔｕｓ又はＮｅｏｓｅｉ
ｕｌｕｓ  ｆａｌｌａｃｉｓ、Ａｍｂｌｙｄｒｏｍａｌｕｓ属、例えば、Ａｍｂｌｙｄｒ
ｏｍａｌｕｓ  ｌｉｍｏｎｉｃｕｓ、Ｔｙｐｈｌｏｄｒｏｍａｌｕｓ属、例えば、Ｔｙｐ
ｈｌｏｄｒｏｍａｌｕｓ  ａｒｉｐｏ、Ｔｙｐｈｌｏｄｒｏｍａｌｕｓ  ｌａｉｌａ又は
Ｔｙｐｈｌｏｄｒｏｍａｌｕｓ  ｐｅｒｅｇｒｉｎｕｓ、Ｔｙｐｈｌｏｄｒｏｍｉｐｓ属
、例えば、Ｔｙｐｈｌｏｄｒｏｍｉｐｓ  ｍｏｎｔｄｏｒｅｎｓｉｓ、Ｐｈｙｔｏｓｅｉ
ｕｌｕｓ属、例えば、Ｐｈｙｔｏｓｅｉｕｌｕｓ  ｐｅｒｓｉｍｉｌｉｓ、Ｐｈｙｔｏｓ
ｅｉｕｌｕｓ  ｍａｃｒｏｐｉｌｉｓ、Ｐｈｙｔｏｓｅｉｕｌｕｓ  ｌｏｎｇｉｐｅｓ、
Ｐｈｙｔｏｓｅｉｕｌｕｓ  ｆｒａｇａｒｉａｅからのもの、
Ｔｙｐｈｌｏｄｒｏｍｉｎａｅ亜科、例えば、Ｇａｌｅｎｄｒｏｍｕｓ属、例えば、
Ｇａｌｅｎｄｒｏｍｕｓ  ｏｃｃｉｄｅｎｔａｌｉｓ、Ｔｙｐｈｌｏｄｒｏｍｕｓ属、例
えば、Ｔｙｐｈｌｏｄｒｏｍｕｓ  ｐｙｒｉ、Ｔｙｐｈｌｏｄｒｏｍｕｓ  ｄｏｒｅｅｎ
ａｅ又はＴｙｐｈｌｏｄｒｏｍｕｓ  ａｔｈｉａｓａｅからのもの
ｉｉ）Ａｓｃｉｄａｅ、例えば、Ｐｒｏｃｔｏｌａｅｌａｐｓ  ｐｙｇｍａｅｕｓ（Ｍ
ｕｌｌｅｒ）等のＰｒｏｃｔｏｌａｅｌａｐｓ属；Ｂｌａｔｔｉｓｏｃｉｕｓ属、例えば
、Ｂｌａｔｔｉｓｏｃｉｕｓ  ｔａｒｓａｌｉｓ（Ｂｅｒｌｅｓｅ）、Ｂｌａｔｔｉｓｏ
ｃｉｕｓ  ｋｅｅｇａｎｉ（Ｆｏｘ）；Ｌａｓｉｏｓｅｉｕｓ属、例えば、Ｌａｓｉｏｓ
ｅｉｕｓ  ｆｉｍｅｔｏｒｕｍ  Ｋａｒｇ、Ｌａｓｉｏｓｅｉｕｓ  ｆｌｏｒｉｄｅｎｓ
ｉｓ  Ｂｅｒｌｅｓｅ、Ｌａｓｉｏｓｅｉｕｓ  ｂｉｓｐｉｎｏｓｕｓ  Ｅｖａｎｓ、Ｌ
ａｓｉｏｓｅｉｕｓ  ｄｅｎｔａｔｕｓ  Ｆｏｘ、Ｌａｓｉｏｓｅｉｕｓ  ｓｃａｐｕｌ
ａｔｕｓ（Ｋｅｎｅｔｔ）、Ｌａｓｉｏｓｅｉｕｓ  ａｔｈｉａｓａｅ  Ｎａｗａｒ＆Ｎ
ａｓｒ；Ａｒｃｔｏｓｅｉｕｓ属、例えば、Ａｒｃｔｏｓｅｉｕｓ  ｓｅｍｉｓｃｉｓｓ
ｕｓ（Ｂｅｒｌｅｓｅ）；Ｐｒｏｔｏｇａｍａｓｅｌｌｕｓ属、例えば、Ｐｒｏｔｏｇａ
ｍａｓｅｌｌｕｓ  ｄｉｏｓｃｏｒｕｓ  Ｍａｎｓｏｎからもの、
ｉｉｉ）Ｌａｅｌａｐｉｄａｅ、例えば、Ｓｔｒａｔｉｏｌａｅｌａｐｓ属、例えば、
Ｓｔｒａｔｉｏｌａｅｌａｐｓ  ｓｃｉｍｉｔｕｓ（Ｗｏｍｅｒｓｌｅｙ）（Ｈｙｐｏａ
ｓｐｉｓ属にも置かれる）；Ｇｅｏｌａｅｌａｐｓ、例えば、Ｇｅｏｌａｅｌａｐｓ  ａ
ｃｕｌｅｉｆｅｒ（Ｃａｎｅｓｔｒｉｎｉ）（Ｈｙｐｏａｓｐｉｓ属にも置かれる）；Ａ
ｎｄｒｏｌａｅｌａｐｓ、例えば、Ａｎｄｒｏｌａｅｌａｐｓ  ｃａｓａｌｉｓ  ｃａｓ
ａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍ
ａｃｒｏｃｈｅｌｅｓ  ｒｏｂｕｓｔｕｌｕｓ（Ｂｅｒｌｅｓｅ）、Ｍａｃｒｏｃｈｅｌ
ｅｓ  ｍｕｓｃａｅｄｏｍｅｓｔｉｃａｅ（Ｓｃｏｐｏｌｉ）、Ｍａｃｒｏｃｈｅｌｅｓ
ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａ
ｍａｓｕｓ  ｑｕｉｓｑｕｉｌｉａｒｕｍ  Ｃａｎｅｓｔｒｉｎｉ；Ｐａｒａｓｉｔｕｓ
、例えば、Ｐａｒａｓｉｔｕｓ  ｆｉｍｅｔｏｒｕｍ（Ｂｅｒｌｅｓｅ）、Ｐａｒａｓｉ
ｔｕｓ  ｂｉｔｕｂｅｒｏｓｕｓ  Ｋａｒｇからのもの
から選択されるものなどの、Ｍｅｓｏｓｔｉｇｍａｔｉｄダニ種、
ｘｉ）Ｔｙｄｅｉｄａｅ、例えば、Ｈｏｍｅｏｐｒｏｎｅｍａｔｕｓ属、例えば、Ｈｏ
ｍｅｏｐｒｏｎｅｍａｔｕｓ  ａｎｃｏｎａｉ（Ｂａｋｅｒ）；Ｔｙｄｅｕｓ属、例えば
、Ｔｙｄｅｕｓ  ｌａｍｂｉ（Ｂａｋｅｒ）、Ｔｙｄｅｕｓ  ｃａｕｄａｔｕｓ（Ｄｕｇ
ｅｓ）、Ｔｙｄｅｕｓ  ｌａｍｂｉ（Ｂａｋｅｒ）；Ｐｒｏｎｅｍａｔｕｓ属、例えば、
Ｐｒｏｎｅｍａｔｕｓ  ｕｂｉｑｕｉｔｏｕｓ（ＭｃＧｒｅｇｏｒ）からのもの、  
ｘｉｉ）Ｃｈｅｙｌｅｔｉｄａｅ、例えば、Ｃｈｅｙｌｅｔｕｓ属、例えば、Ｃｈｅｙ
ｌｅｔｕｓ  ｅｒｕｄｉｔｕｓ（Ｓｃｈｒａｎｋ）、Ｃｈｅｙｌｅｔｕｓ  ｍａｌａｃｃ
ｅｎｓｉｓ  Ｏｕｄｅｍａｎｓからのもの、
ｘｉｉｉ）Ｃｕｎａｘｉｄａｅ、例えば、Ｃｏｌｅｏｓｃｉｒｕｓ属、例えば、Ｃｏｌ
ｅｏｓｃｉｒｕｓ  ｓｉｍｐｌｅｘ（Ｅｗｉｎｇ）、Ｃｕｎａｘａ属、例えば、Ｃｕｎａ
ｘａ  ｓｅｔｉｒｏｓｔｒｉｓ（Ｈｅｒｍａｎｎ）からのもの、
ｘｉｖ）Ｅｒｙｔｈｒａｅｉｄａｅ、例えば、Ｂａｌａｕｓｔｉｕｍ属、例えば、Ｂａ
ｌａｕｓｔｉｕｍ  ｐｕｔｍａｎｉ  Ｓｍｉｌｅｙ、Ｂａｌａｕｓｔｉｕｍ  ｍｅｄｉｃ
ａｇｏｅｎｓｅ  Ｍｅｙｅｒ＆Ｒｙｋｅ、Ｂａｌａｕｓｔｉｕｍ  ｍｕｒｏｒｕｍ（Ｈｅ
ｒｍａｎｎ）からのもの、
ｘ）Ｓｔｉｇｍａｅｉｄａｅ、例えば、Ａｇｉｓｔｅｍｕｓ属、例えば、Ａｇｉｓｔｅ
ｍｕｓ  ｅｘｓｅｒｔｕｓ  Ｇｏｎｚａｌｅｚ；Ｚｅｔｚｅｌｌｉａ属、例えば、Ｚｅｔ
ｚｅｌｌｉａｍａｌｉ（Ｅｗｉｎｇ）からのもの
からなどのＰｒｏｓｔｉｇｍａｔｉｄダニ種
から選択される、請求項１〜６のいずれかに記載の組成物。
【請求項７】
前記ダニ種が、Ｐｈｙｔｏｓｅｉｉｄ種である、請求項１〜６のいずれかに記載のダニ
組成物。
【請求項８】
前記Ｐｈｙｔｏｓｅｉｉｄ種が、Ａｍｂｌｙｓｅｉｕｓ  ｓｗｉｒｓｋｉｉ、Ａｍｂｌ
ｙｓｉｅｕｓ  ａｅｒｉａｌｉｓ、Ａｍｂｌｙｓｅｉｕｓ  ａｎｄｅｒｓｏｎｉ、Ｎｅｏ
ｓｅｉｕｌｕｓ  ｂａｒｋｅｒｉ、Ｎｅｏｓｅｉｕｌｕｓ  ｃａｌｉｆｏｒｎｉｃｕｓ、
Ｎｅｏｓｅｉｕｌｕｓ  ｃｕｃｕｍｅｒｉｓ、Ｎｅｏｓｅｉｕｌｕｓ  ｆａｌｌａｃｉｓ
、Ｔｙｐｈｌｏｄｒｏｍｉｐｓ  ｍｏｎｔｄｏｒｅｎｓｉｓ又はＡｍｂｌｙｄｒｏｍａｌ
ｕｓ  ｌｉｍｏｎｉｃｕｓから選択されるＰｈｙｔｏｓｅｉｉｄ種である、請求項７に記
載のダニ組成物。
【請求項９】
ダニ種個体の個体群を飼育するための方法であって、
（ｉ）請求項１〜８に記載のダニ組成物を用意するステップと、
（ｉｉ）前記ダニ種個体の個体群に食物源を食させるステップと
を含む方法。
【請求項１０】
作物における生物学的有害生物防除のための方法であって、前記作物に請求項１〜８の
いずれかに記載のダニ組成物を与えるステップを含み、前記ダニ種が、
ｉ）Ｐｈｙｔｏｓｅｉｉｄａｅ、例えば、
Ａｍｂｌｙｓｅｉｉｎａｅの亜科、例えば、Ａｍｂｌｙｓｅｉｕｓ属、例えば、Ａｍ
ｂｌｙｓｅｉｕｓ  ａｎｄｅｒｓｏｎｉ、Ａｍｂｌｙｓｅｉｕｓ  ａｅｒｉａｌｉｓ、Ａ
ｍｂｌｙｓｅｉｕｓ  ｓｗｉｒｓｋｉｉ、Ａｍｂｌｙｓｅｉｕｓ  ｈｅｒｂｉｃｏｌｕｓ
又はＡｍｂｌｙｓｅｉｕｓ  ｌａｒｇｏｅｎｓｉｓ、Ｅｕｓｅｉｕｓ属、例えば、Ｅｕｓ
ｅｉｕｓ  ｆｉｎｌａｎｄｉｃｕｓ、Ｅｕｓｅｉｕｓ  ｈｉｂｉｓｃｉ、Ｅｕｓｅｉｕｓ
ｏｖａｌｉｓ、Ｅｕｓｅｉｕｓ  ｖｉｃｔｏｒｉｅｎｓｉｓ、Ｅｕｓｅｉｕｓ  ｓｔｉ
ｐｕｌａｔｕｓ、Ｅｕｓｅｉｕｓ  ｓｃｕｔａｌｉｓ、Ｅｕｓｅｉｕｓ  ｔｕｌａｒｅｎ
ｓｉｓ、Ｅｕｓｅｉｕｓ  ａｄｄｏｅｎｓｉｓ、Ｅｕｓｅｉｕｓ  ｃｏｎｃｏｒｄｉｓ、
Ｅｕｓｅｉｕｓ  ｈｏ又はＥｕｓｅｉｕｓ  ｃｉｔｒｉ、Ｎｅｏｓｅｉｕｌｕｓ属、例え
ば、Ｎｅｏｓｅｉｕｌｕｓ  ｂａｒｋｅｒｉ、Ｎｅｏｓｅｉｕｌｕｓ  ｃａｌｉｆｏｒｎ
ｉｃｕｓ、Ｎｅｏｓｅｉｕｌｕｓ  ｃｕｃｕｍｅｒｉｓ、Ｎｅｏｓｅｉｕｌｕｓ  ｌｏｎ
ｇｉｓｐｉｎｏｓｕｓ、Ｎｅｏｓｅｉｕｌｕｓ  ｗｏｍｅｒｓｌｅｙｉ、Ｎｅｏｓｅｉｕ
ｌｕｓ  ｉｄａｅｕｓ、Ｎｅｏｓｅｉｕｌｕｓ  ａｎｏｎｙｍｕｓ、Ｎｅｏｓｅｉｕｌｕ
ｓ  ｐａｓｐａｌｉｖｏｒｕｓ、Ｎｅｏｓｅｉｕｌｕｓ  ｒｅｄｕｃｔｕｓ又はＮｅｏｓ
ｅｉｕｌｕｓ  ｆａｌｌａｃｉｓ、Ａｍｂｌｙｄｒｏｍａｌｕｓ属、例えば、Ａｍｂｌｙ
ｄｒｏｍａｌｕｓ  ｌｉｍｏｎｉｃｕｓ、Ｔｙｐｈｌｏｄｒｏｍａｌｕｓ属、例えば、Ｔ
ｙｐｈｌｏｄｒｏｍａｌｕｓ  ａｒｉｐｏ、Ｔｙｐｈｌｏｄｒｏｍａｌｕｓ  ｌａｉｌａ
又はＴｙｐｈｌｏｄｒｏｍａｌｕｓ  ｐｅｒｅｇｒｉｎｕｓ、Ｔｙｐｈｌｏｄｒｏｍｉｐ
ｓ属、例えば、Ｔｙｐｈｌｏｄｒｏｍｉｐｓ  ｍｏｎｔｄｏｒｅｎｓｉｓ、Ｐｈｙｔｏｓ
ｅｉｕｌｕｓ属、例えば、Ｐｈｙｔｏｓｅｉｕｌｕｓ  ｐｅｒｓｉｍｉｌｉｓ、Ｐｈｙｔ
ｏｓｅｉｕｌｕｓ  ｍａｃｒｏｐｉｌｉｓ、Ｐｈｙｔｏｓｅｉｕｌｕｓ  ｌｏｎｇｉｐｅ
ｓ、Ｐｈｙｔｏｓｅｉｕｌｕｓ  ｆｒａｇａｒｉａｅからのもの、
Ｔｙｐｈｌｏｄｒｏｍｉｎａｅの亜科、例えば、Ｇａｌｅｎｄｒｏｍｕｓ属、例えば
、Ｇａｌｅｎｄｒｏｍｕｓ  ｏｃｃｉｄｅｎｔａｌｉｓ、Ｔｙｐｈｌｏｄｒｏｍｕｓ属、
例えば、Ｔｙｐｈｌｏｄｒｏｍｕｓ  ｐｙｒｉ、Ｔｙｐｈｌｏｄｒｏｍｕｓ  ｄｏｒｅｅ
ｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍ
ｕｌｌｅｒ）等のＰｒｏｃｔｏｌａｅｌａｐｓ属；Ｂｌａｔｔｉｓｏｃｉｕｓ属、例えば
、Ｂｌａｔｔｉｓｏｃｉｕｓ  ｔａｒｓａｌｉｓ（Ｂｅｒｌｅｓｅ）、Ｂｌａｔｔｉｓｏ
ｃｉｕｓ  ｋｅｅｇａｎｉ（Ｆｏｘ）；Ｌａｓｉｏｓｅｉｕｓ属、例えば、Ｌａｓｉｏｓ
ｅｉｕｓ  ｆｉｍｅｔｏｒｕｍ  Ｋａｒｇ、Ｌａｓｉｏｓｅｉｕｓ  ｆｌｏｒｉｄｅｎｓ
ｉｓ  Ｂｅｒｌｅｓｅ、Ｌａｓｉｏｓｅｉｕｓ  ｂｉｓｐｉｎｏｓｕｓ  Ｅｖａｎｓ、Ｌ
ａｓｉｏｓｅｉｕｓ  ｄｅｎｔａｔｕｓ  Ｆｏｘ、Ｌａｓｉｏｓｅｉｕｓ  ｓｃａｐｕｌ
ａｔｕｓ（Ｋｅｎｅｔｔ）、Ｌａｓｉｏｓｅｉｕｓ  ａｔｈｉａｓａｅ  Ｎａｗａｒ＆Ｎ
ａｓｒ；Ａｒｃｔｏｓｅｉｕｓ属、例えば、Ａｒｃｔｏｓｅｉｕｓ  ｓｅｍｉｓｃｉｓｓ
ｕｓ（Ｂｅｒｌｅｓｅ）；Ｐｒｏｔｏｇａｍａｓｅｌｌｕｓ属、例えば、Ｐｒｏｔｏｇａ
ｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、
Ｓｔｒａｔｉｏｌａｅｌａｐｓ  ｓｃｉｍｉｔｕｓ（Ｗｏｍｅｒｓｌｅｙ）（Ｈｙｐｏａ
ｓｐｉｓ属にも置かれる）；Ｇｅｏｌａｅｌａｐｓ、例えば、Ｇｅｏｌａｅｌａｐｓ  ａ
ｃｕｌｅｉｆｅｒ（Ｃａｎｅｓｔｒｉｎｉ）（Ｈｙｐｏａｓｐｉｓ属にも置かれる）；Ａ
ｎｄｒｏｌａｅｌａｐｓ、例えば、Ａｎｄｒｏｌａｅｌａｐｓ  ｃａｓａｌｉｓ  ｃａｓ
ａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍ
ａｃｒｏｃｈｅｌｅｓ  ｒｏｂｕｓｔｕｌｕｓ（Ｂｅｒｌｅｓｅ）、Ｍａｃｒｏｃｈｅｌ
ｅｓ  ｍｕｓｃａｅｄｏｍｅｓｔｉｃａｅ（Ｓｃｏｐｏｌｉ）、Ｍａｃｒｏｃｈｅｌｅｓ
ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａ
ｍａｓｕｓｑｕｉｓｑｕｉｌｉａｒｕｍ  Ｃａｎｅｓｔｒｉｎｉ；Ｐａｒａｓｉｔｕｓ、
例えば、Ｐａｒａｓｉｔｕｓｆｉｍｅｔｏｒｕｍ（Ｂｅｒｌｅｓｅ）、Ｐａｒａｓｉｔｕ
ｓ  ｂｉｔｕｂｅｒｏｓｕｓ  Ｋａｒｇからのもの、
から選択されるものなどの、Ｍｅｓｏｓｔｉｇｍａｔｉｄダニ種、
ｖｉ）Ｔｙｄｅｉｄａｅ、例えば、Ｈｏｍｅｏｐｒｏｎｅｍａｔｕｓ属、例えば、Ｈｏ
ｍｅｏｐｒｏｎｅｍａｔｕｓ  ａｎｃｏｎａｉ（Ｂａｋｅｒ）；Ｔｙｄｅｕｓ属、例えば
、Ｔｙｄｅｕｓ  ｌａｍｂｉ（Ｂａｋｅｒ）、Ｔｙｄｅｕｓ  ｃａｕｄａｔｕｓ（Ｄｕｇ
ｅｓ）、Ｔｙｄｅｕｓ  ｌａｍｂｉ（Ｂａｋｅｒ）；Ｐｒｏｎｅｍａｔｕｓ属、例えば、
Ｐｒｏｎｅｍａｔｕｓ  ｕｂｉｑｕｉｔｏｕｓ（ＭｃＧｒｅｇｏｒ）からのもの、
ｖｉｉ）Ｃｈｅｙｌｅｔｉｄａｅ、例えば、Ｃｈｅｙｌｅｔｕｓ属、例えば、Ｃｈｅｙ
ｌｅｔｕｓ  ｅｒｕｄｉｔｕｓ（Ｓｃｈｒａｎｋ）、Ｃｈｅｙｌｅｔｕｓ  ｍａｌａｃｃ
ｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌ
ｅｏｓｃｉｒｕｓ  ｓｉｍｐｌｅｘ（Ｅｗｉｎｇ）、Ｃｕｎａｘａ属、例えば、Ｃｕｎａ
ｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌ
ａｕｓｔｉｕｍ  ｐｕｔｍａｎｉ  Ｓｍｉｌｅｙ、Ｂａｌａｕｓｔｉｕｍ  ｍｅｄｉｃａ
ｇｏｅｎｓｅ  Ｍｅｙｅｒ＆Ｒｙｋｅ、Ｂａｌａｕｓｔｉｕｍ  ｍｕｒｏｒｕｍ（Ｈｅｒ
ｍａｎｎ）からのもの、
ｘ）Ｓｔｉｇｍａｅｉｄａｅ、例えば、Ａｇｉｓｔｅｍｕｓ属、例えば、Ａｇｉｓｔｅ
ｍｕｓ  ｅｘｓｅｒｔｕｓ  Ｇｏｎｚａｌｅｚ；Ｚｅｔｚｅｌｌｉａ属、例えば、Ｚｅｔ
ｚｅｌｌｉａｍａｌｉ（Ｅｗｉｎｇ）からのもの
からなどの、Ｐｒｏｓｔｉｇｍａｔｉｄダニ種
から選択される捕食性ダニ種等の、捕食性ダニ種として選択される方法。
【請求項１１】
ダニ種を飼育するための飼育装置であって、請求項１〜８のいずれかに記載のダニ組成
物を収容する容器であって、前記ダニ種の少なくとも１つの運動性の生活段階のための出
口を含む容器を含む飼育装置。
【請求項１２】
作物保護のための、請求項１〜８のいずれかに記載のダニ組成物の使用であって、前記
ダニ種が、
ｉ）Ｐｈｙｔｏｓｅｉｉｄａｅ、例えば、
Ａｍｂｌｙｓｅｉｉｎａｅの亜科、例えば、Ａｍｂｌｙｓｅｉｕｓ属、例えば、Ａｍ
ｂｌｙｓｅｉｕｓ  ａｎｄｅｒｓｏｎｉ、Ａｍｂｌｙｓｅｉｕｓ  ａｅｒｉａｌｉｓ、Ａ
ｍｂｌｙｓｅｉｕｓ  ｓｗｉｒｓｋｉｉ、Ａｍｂｌｙｓｅｉｕｓ  ｈｅｒｂｉｃｏｌｕｓ
又はＡｍｂｌｙｓｅｉｕｓ  ｌａｒｇｏｅｎｓｉｓ、Ｅｕｓｅｉｕｓ属、例えば、Ｅｕｓ
ｅｉｕｓ  ｆｉｎｌａｎｄｉｃｕｓ、Ｅｕｓｅｉｕｓ  ｈｉｂｉｓｃｉ、Ｅｕｓｅｉｕｓ
ｏｖａｌｉｓ、Ｅｕｓｅｉｕｓ  ｖｉｃｔｏｒｉｅｎｓｉｓ、Ｅｕｓｅｉｕｓ  ｓｔｉ
ｐｕｌａｔｕｓ、Ｅｕｓｅｉｕｓ  ｓｃｕｔａｌｉｓ、Ｅｕｓｅｉｕｓ  ｔｕｌａｒｅｎ
ｓｉｓ、Ｅｕｓｅｉｕｓ  ａｄｄｏｅｎｓｉｓ、Ｅｕｓｅｉｕｓ  ｃｏｎｃｏｒｄｉｓ、
Ｅｕｓｅｉｕｓ  ｈｏ又はＥｕｓｅｉｕｓ  ｃｉｔｒｉ、Ｎｅｏｓｅｉｕｌｕｓ属、例え
ば、Ｎｅｏｓｅｉｕｌｕｓ  ｂａｒｋｅｒｉ、Ｎｅｏｓｅｉｕｌｕｓ  ｃａｌｉｆｏｒｎ
ｉｃｕｓ、Ｎｅｏｓｅｉｕｌｕｓ  ｃｕｃｕｍｅｒｉｓ、Ｎｅｏｓｅｉｕｌｕｓ  ｌｏｎ
ｇｉｓｐｉｎｏｓｕｓ、Ｎｅｏｓｅｉｕｌｕｓ  ｗｏｍｅｒｓｌｅｙｉ、Ｎｅｏｓｅｉｕ
ｌｕｓ  ｉｄａｅｕｓ、Ｎｅｏｓｅｉｕｌｕｓ  ａｎｏｎｙｍｕｓ、Ｎｅｏｓｅｉｕｌｕ
ｓ  ｐａｓｐａｌｉｖｏｒｕｓ、Ｎｅｏｓｅｉｕｌｕｓ  ｒｅｄｕｃｔｕｓ又はＮｅｏｓ
ｅｉｕｌｕｓ  ｆａｌｌａｃｉｓ、Ａｍｂｌｙｄｒｏｍａｌｕｓ属、例えば、Ａｍｂｌｙ
ｄｒｏｍａｌｕｓ  ｌｉｍｏｎｉｃｕｓ、Ｔｙｐｈｌｏｄｒｏｍａｌｕｓ属、例えば、Ｔ
ｙｐｈｌｏｄｒｏｍａｌｕｓ  ａｒｉｐｏ、Ｔｙｐｈｌｏｄｒｏｍａｌｕｓ  ｌａｉｌａ
又はＴｙｐｈｌｏｄｒｏｍａｌｕｓ  ｐｅｒｅｇｒｉｎｕｓ、Ｔｙｐｈｌｏｄｒｏｍｉｐ
ｓ属、例えば、Ｔｙｐｈｌｏｄｒｏｍｉｐｓ  ｍｏｎｔｄｏｒｅｎｓｉｓ、Ｐｈｙｔｏｓ
ｅｉｕｌｕｓ属、例えば、Ｐｈｙｔｏｓｅｉｕｌｕｓ  ｐｅｒｓｉｍｉｌｉｓ、Ｐｈｙｔ
ｏｓｅｉｕｌｕｓ  ｍａｃｒｏｐｉｌｉｓ、Ｐｈｙｔｏｓｅｉｕｌｕｓ  ｌｏｎｇｉｐｅ
ｓ、Ｐｈｙｔｏｓｅｉｕｌｕｓ  ｆｒａｇａｒｉａｅからのもの、
Ｔｙｐｈｌｏｄｒｏｍｉｎａｅの亜科、例えば、Ｇａｌｅｎｄｒｏｍｕｓ属、例えば
、Ｇａｌｅｎｄｒｏｍｕｓ  ｏｃｃｉｄｅｎｔａｌｉｓ、Ｔｙｐｈｌｏｄｒｏｍｕｓ属、
例えば、Ｔｙｐｈｌｏｄｒｏｍｕｓ  ｐｙｒｉ、Ｔｙｐｈｌｏｄｒｏｍｕｓ  ｄｏｒｅｅ
ｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍ
ｕｌｌｅｒ）等のＰｒｏｃｔｏｌａｅｌａｐｓ属；Ｂｌａｔｔｉｓｏｃｉｕｓ属、例えば
、Ｂｌａｔｔｉｓｏｃｉｕｓ  ｔａｒｓａｌｉｓ（Ｂｅｒｌｅｓｅ）、Ｂｌａｔｔｉｓｏ
ｃｉｕｓ  ｋｅｅｇａｎｉ（Ｆｏｘ）；Ｌａｓｉｏｓｅｉｕｓ属、例えば、Ｌａｓｉｏｓ
ｅｉｕｓ  ｆｉｍｅｔｏｒｕｍ  Ｋａｒｇ、Ｌａｓｉｏｓｅｉｕｓ  ｆｌｏｒｉｄｅｎｓ
ｉｓ  Ｂｅｒｌｅｓｅ、Ｌａｓｉｏｓｅｉｕｓ  ｂｉｓｐｉｎｏｓｕｓ  Ｅｖａｎｓ、Ｌ
ａｓｉｏｓｅｉｕｓ  ｄｅｎｔａｔｕｓ  Ｆｏｘ、Ｌａｓｉｏｓｅｉｕｓ  ｓｃａｐｕｌ
ａｔｕｓ（Ｋｅｎｅｔｔ）、Ｌａｓｉｏｓｅｉｕｓ  ａｔｈｉａｓａｅ  Ｎａｗａｒ＆Ｎ
ａｓｒ；Ａｒｃｔｏｓｅｉｕｓ属、例えば、Ａｒｃｔｏｓｅｉｕｓ  ｓｅｍｉｓｃｉｓｓ
ｕｓ（Ｂｅｒｌｅｓｅ）；Ｐｒｏｔｏｇａｍａｓｅｌｌｕｓ属、例えば、Ｐｒｏｔｏｇａ
ｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、
Ｓｔｒａｔｉｏｌａｅｌａｐｓ  ｓｃｉｍｉｔｕｓ（Ｗｏｍｅｒｓｌｅｙ）（Ｈｙｐｏａ
ｓｐｉｓ属にも置かれる）；Ｇｅｏｌａｅｌａｐｓ、例えば、Ｇｅｏｌａｅｌａｐｓ  ａ
ｃｕｌｅｉｆｅｒ（Ｃａｎｅｓｔｒｉｎｉ）（Ｈｙｐｏａｓｐｉｓ属にも置かれる）；Ａ
ｎｄｒｏｌａｅｌａｐｓ、例えば、Ａｎｄｒｏｌａｅｌａｐｓ  ｃａｓａｌｉｓ  ｃａｓ
ａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍ
ａｃｒｏｃｈｅｌｅｓ  ｒｏｂｕｓｔｕｌｕｓ（Ｂｅｒｌｅｓｅ）、Ｍａｃｒｏｃｈｅｌ
ｅｓ  ｍｕｓｃａｅｄｏｍｅｓｔｉｃａｅ（Ｓｃｏｐｏｌｉ）、Ｍａｃｒｏｃｈｅｌｅｓ
ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａ
ｍａｓｕｓｑｕｉｓｑｕｉｌｉａｒｕｍ  Ｃａｎｅｓｔｒｉｎｉ；Ｐａｒａｓｉｔｕｓ、
例えば、Ｐａｒａｓｉｔｕｓｆｉｍｅｔｏｒｕｍ（Ｂｅｒｌｅｓｅ）、Ｐａｒａｓｉｔｕ
ｓ  ｂｉｔｕｂｅｒｏｓｕｓ  Ｋａｒｇからのもの、
から選択されるものなどの、Ｍｅｓｏｓｔｉｇｍａｔｉｄダニ種、
ｖｉ）Ｔｙｄｅｉｄａｅ、例えば、Ｈｏｍｅｏｐｒｏｎｅｍａｔｕｓ属、例えば、Ｈｏ
ｍｅｏｐｒｏｎｅｍａｔｕｓ  ａｎｃｏｎａｉ（Ｂａｋｅｒ）；Ｔｙｄｅｕｓ属、例えば
、Ｔｙｄｅｕｓ  ｌａｍｂｉ（Ｂａｋｅｒ）、Ｔｙｄｅｕｓ  ｃａｕｄａｔｕｓ（Ｄｕｇ
ｅｓ）、Ｔｙｄｅｕｓ  ｌａｍｂｉ（Ｂａｋｅｒ）；Ｐｒｏｎｅｍａｔｕｓ属、例えば、
Ｐｒｏｎｅｍａｔｕｓ  ｕｂｉｑｕｉｔｏｕｓ（ＭｃＧｒｅｇｏｒ）からのもの、
ｖｉｉ）Ｃｈｅｙｌｅｔｉｄａｅ、例えば、Ｃｈｅｙｌｅｔｕｓ属、例えば、Ｃｈｅｙ
ｌｅｔｕｓ  ｅｒｕｄｉｔｕｓ（Ｓｃｈｒａｎｋ）、Ｃｈｅｙｌｅｔｕｓ  ｍａｌａｃｃ
ｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌ
ｅｏｓｃｉｒｕｓ  ｓｉｍｐｌｅｘ（Ｅｗｉｎｇ）、Ｃｕｎａｘａ属、例えば、Ｃｕｎａ
ｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌ
ａｕｓｔｉｕｍ  ｐｕｔｍａｎｉ  Ｓｍｉｌｅｙ、Ｂａｌａｕｓｔｉｕｍ  ｍｅｄｉｃａ
ｇｏｅｎｓｅ  Ｍｅｙｅｒ＆Ｒｙｋｅ、Ｂａｌａｕｓｔｉｕｍ  ｍｕｒｏｒｕｍ（Ｈｅｒ
ｍａｎｎ）からのもの、
ｘ）Ｓｔｉｇｍａｅｉｄａｅ、例えば、Ａｇｉｓｔｅｍｕｓ属、例えば、Ａｇｉｓｔｅ
ｍｕｓ  ｅｘｓｅｒｔｕｓ  Ｇｏｎｚａｌｅｚ；Ｚｅｔｚｅｌｌｉａ属、例えば、Ｚｅｔ
ｚｅｌｌｉａｍａｌｉ（Ｅｗｉｎｇ）からのもの
からなどの、Ｐｒｏｓｔｉｇｍａｔｉｄダニ種
から選択される捕食性ダニ種などの、捕食性ダニ種として選択される使用。
【請求項１３】
Ｍｅｓｏｓｔｉｇｍａｔｉｄダニ種又はＰｒｏｓｔｉｇｍａｔｉｄダニ種から選択され
るダニ種の個体群を飼育するための、３．０〜９．０ｍｍの平均最長軸を有する担体要素
を含む担体材料の使用であって、前記担体要素の積み重なりが、ダニシェルターの構造を
形成している、使用。
【請求項１４】
前記ダニシェルターが、区域を含み、前記ダニ種の個体がこの区域に位置する場合、前
記区域において、前記担体要素の担体材料が、直交性又は逆向きの関係を有する少なくと
も３方向において、前記ダニ種の個体をその周囲から遮蔽する、請求項１３に記載の使用
。
【請求項１５】
前記ダニシェルターが、空隙、例えば、窪み、凹部、孔、チャンバ、空洞、隙間、凹み
、ポケット、チューブ及び同様の構造により形成される空隙を含む、請求項１３又は１４
のいずれかに記載の使用。
【請求項１６】
前記担体要素が、もみ殻に由来する、請求項１３〜１５のいずれかに記載の使用。
【請求項１７】
前記もみ殻が、草種（イネ科植物）由来またはアワ由来のもみ殻である、請求項１６に
記載の使用。
【請求項１８】
前記ダニ種が、
ｉ）Ｐｈｙｔｏｓｅｉｉｄａｅ、例えば、
Ａｍｂｌｙｓｅｉｉｎａｅの亜科、例えば、Ａｍｂｌｙｓｅｉｕｓ属、例えば、Ａｍ
ｂｌｙｓｅｉｕｓ  ａｎｄｅｒｓｏｎｉ、Ａｍｂｌｙｓｅｉｕｓ  ａｅｒｉａｌｉｓ、Ａ
ｍｂｌｙｓｅｉｕｓ  ｓｗｉｒｓｋｉｉ、Ａｍｂｌｙｓｅｉｕｓ  ｈｅｒｂｉｃｏｌｕｓ
又はＡｍｂｌｙｓｅｉｕｓ  ｌａｒｇｏｅｎｓｉｓ、Ｅｕｓｅｉｕｓ属、例えば、Ｅｕｓ
ｅｉｕｓ  ｆｉｎｌａｎｄｉｃｕｓ、Ｅｕｓｅｉｕｓ  ｈｉｂｉｓｃｉ、Ｅｕｓｅｉｕｓ
ｏｖａｌｉｓ、Ｅｕｓｅｉｕｓ  ｖｉｃｔｏｒｉｅｎｓｉｓ、Ｅｕｓｅｉｕｓ  ｓｔｉ
ｐｕｌａｔｕｓ、Ｅｕｓｅｉｕｓ  ｓｃｕｔａｌｉｓ、Ｅｕｓｅｉｕｓ  ｔｕｌａｒｅｎ
ｓｉｓ、Ｅｕｓｅｉｕｓ  ａｄｄｏｅｎｓｉｓ、Ｅｕｓｅｉｕｓ  ｃｏｎｃｏｒｄｉｓ、
Ｅｕｓｅｉｕｓ  ｈｏ又はＥｕｓｅｉｕｓ  ｃｉｔｒｉ、Ｎｅｏｓｅｉｕｌｕｓ属、例え
ば、Ｎｅｏｓｅｉｕｌｕｓ  ｂａｒｋｅｒｉ、Ｎｅｏｓｅｉｕｌｕｓ  ｃａｌｉｆｏｒｎ
ｉｃｕｓ、Ｎｅｏｓｅｉｕｌｕｓ  ｃｕｃｕｍｅｒｉｓ、Ｎｅｏｓｅｉｕｌｕｓ  ｌｏｎ
ｇｉｓｐｉｎｏｓｕｓ、Ｎｅｏｓｅｉｕｌｕｓ  ｗｏｍｅｒｓｌｅｙｉ、Ｎｅｏｓｅｉｕ
ｌｕｓ  ｉｄａｅｕｓ、Ｎｅｏｓｅｉｕｌｕｓ  ａｎｏｎｙｍｕｓ、Ｎｅｏｓｅｉｕｌｕ
ｓ  ｐａｓｐａｌｉｖｏｒｕｓ、Ｎｅｏｓｅｉｕｌｕｓ  ｒｅｄｕｃｔｕｓ又はＮｅｏｓ
ｅｉｕｌｕｓ  ｆａｌｌａｃｉｓ、Ａｍｂｌｙｄｒｏｍａｌｕｓ属、例えば、Ａｍｂｌｙ
ｄｒｏｍａｌｕｓ  ｌｉｍｏｎｉｃｕｓ、Ｔｙｐｈｌｏｄｒｏｍａｌｕｓ属、例えば、Ｔ
ｙｐｈｌｏｄｒｏｍａｌｕｓ  ａｒｉｐｏ、Ｔｙｐｈｌｏｄｒｏｍａｌｕｓ  ｌａｉｌａ
又はＴｙｐｈｌｏｄｒｏｍａｌｕｓ  ｐｅｒｅｇｒｉｎｕｓ、Ｔｙｐｈｌｏｄｒｏｍｉｐ
ｓ属、例えば、Ｔｙｐｈｌｏｄｒｏｍｉｐｓ  ｍｏｎｔｄｏｒｅｎｓｉｓ、Ｐｈｙｔｏｓ
ｅｉｕｌｕｓ属、例えば、Ｐｈｙｔｏｓｅｉｕｌｕｓ  ｐｅｒｓｉｍｉｌｉｓ、Ｐｈｙｔ
ｏｓｅｉｕｌｕｓ  ｍａｃｒｏｐｉｌｉｓ、Ｐｈｙｔｏｓｅｉｕｌｕｓ  ｌｏｎｇｉｐｅ
ｓ、Ｐｈｙｔｏｓｅｉｕｌｕｓ  ｆｒａｇａｒｉａｅからのもの、
Ｔｙｐｈｌｏｄｒｏｍｉｎａｅの亜科、例えば、Ｇａｌｅｎｄｒｏｍｕｓ属、例えば
、Ｇａｌｅｎｄｒｏｍｕｓ  ｏｃｃｉｄｅｎｔａｌｉｓ、Ｔｙｐｈｌｏｄｒｏｍｕｓ属、
例えば、Ｔｙｐｈｌｏｄｒｏｍｕｓ  ｐｙｒｉ、Ｔｙｐｈｌｏｄｒｏｍｕｓ  ｄｏｒｅｅ
ｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍ
ｕｌｌｅｒ）等のＰｒｏｃｔｏｌａｅｌａｐｓ属；Ｂｌａｔｔｉｓｏｃｉｕｓ属、例えば
、Ｂｌａｔｔｉｓｏｃｉｕｓ  ｔａｒｓａｌｉｓ（Ｂｅｒｌｅｓｅ）、Ｂｌａｔｔｉｓｏ
ｃｉｕｓ  ｋｅｅｇａｎｉ（Ｆｏｘ）；Ｌａｓｉｏｓｅｉｕｓ属、例えば、Ｌａｓｉｏｓ
ｅｉｕｓ  ｆｉｍｅｔｏｒｕｍ  Ｋａｒｇ、Ｌａｓｉｏｓｅｉｕｓ  ｆｌｏｒｉｄｅｎｓ
ｉｓ  Ｂｅｒｌｅｓｅ、Ｌａｓｉｏｓｅｉｕｓ  ｂｉｓｐｉｎｏｓｕｓ  Ｅｖａｎｓ、Ｌ
ａｓｉｏｓｅｉｕｓ  ｄｅｎｔａｔｕｓ  Ｆｏｘ、Ｌａｓｉｏｓｅｉｕｓ  ｓｃａｐｕｌ
ａｔｕｓ（Ｋｅｎｅｔｔ）、Ｌａｓｉｏｓｅｉｕｓ  ａｔｈｉａｓａｅ  Ｎａｗａｒ＆Ｎ
ａｓｒ；Ａｒｃｔｏｓｅｉｕｓ属、例えば、Ａｒｃｔｏｓｅｉｕｓ  ｓｅｍｉｓｃｉｓｓ
ｕｓ（Ｂｅｒｌｅｓｅ）；Ｐｒｏｔｏｇａｍａｓｅｌｌｕｓ属、例えば、Ｐｒｏｔｏｇａ
ｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、
Ｓｔｒａｔｉｏｌａｅｌａｐｓ  ｓｃｉｍｉｔｕｓ（Ｗｏｍｅｒｓｌｅｙ）（Ｈｙｐｏａ
ｓｐｉｓ属にも置かれる）；Ｇｅｏｌａｅｌａｐｓ、例えば、Ｇｅｏｌａｅｌａｐｓ  ａ
ｃｕｌｅｉｆｅｒ（Ｃａｎｅｓｔｒｉｎｉ）（Ｈｙｐｏａｓｐｉｓ属にも置かれる）；Ａ
ｎｄｒｏｌａｅｌａｐｓ、例えば、Ａｎｄｒｏｌａｅｌａｐｓ  ｃａｓａｌｉｓ  ｃａｓ
ａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍ
ａｃｒｏｃｈｅｌｅｓ  ｒｏｂｕｓｔｕｌｕｓ（Ｂｅｒｌｅｓｅ）、Ｍａｃｒｏｃｈｅｌ
ｅｓ  ｍｕｓｃａｅｄｏｍｅｓｔｉｃａｅ（Ｓｃｏｐｏｌｉ）、Ｍａｃｒｏｃｈｅｌｅｓ
ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａ
ｍａｓｕｓｑｕｉｓｑｕｉｌｉａｒｕｍ  Ｃａｎｅｓｔｒｉｎｉ；Ｐａｒａｓｉｔｕｓ、
例えば、Ｐａｒａｓｉｔｕｓｆｉｍｅｔｏｒｕｍ（Ｂｅｒｌｅｓｅ）、Ｐａｒａｓｉｔｕ
ｓ  ｂｉｔｕｂｅｒｏｓｕｓ  Ｋａｒｇからのもの
から選択されるものなどの、Ｍｅｓｏｓｔｉｇｍａｔｉｄダニ種、
ｖｉ）Ｔｙｄｅｉｄａｅ、例えば、Ｈｏｍｅｏｐｒｏｎｅｍａｔｕｓ属、例えば、Ｈｏ
ｍｅｏｐｒｏｎｅｍａｔｕｓ  ａｎｃｏｎａｉ（Ｂａｋｅｒ）；Ｔｙｄｅｕｓ属、例えば
、Ｔｙｄｅｕｓ  ｌａｍｂｉ（Ｂａｋｅｒ）、Ｔｙｄｅｕｓ  ｃａｕｄａｔｕｓ（Ｄｕｇ
ｅｓ）、Ｔｙｄｅｕｓ  ｌａｍｂｉ（Ｂａｋｅｒ）；Ｐｒｏｎｅｍａｔｕｓ属、例えば、
Ｐｒｏｎｅｍａｔｕｓ  ｕｂｉｑｕｉｔｏｕｓ（ＭｃＧｒｅｇｏｒ）からのもの、
ｖｉｉ）Ｃｈｅｙｌｅｔｉｄａｅ、例えば、Ｃｈｅｙｌｅｔｕｓ属、例えば、Ｃｈｅｙ
ｌｅｔｕｓ  ｅｒｕｄｉｔｕｓ（Ｓｃｈｒａｎｋ）、Ｃｈｅｙｌｅｔｕｓ  ｍａｌａｃｃ
ｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌ
ｅｏｓｃｉｒｕｓ  ｓｉｍｐｌｅｘ（Ｅｗｉｎｇ）、Ｃｕｎａｘａ属、例えば、Ｃｕｎａ
ｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌ
ａｕｓｔｉｕｍ  ｐｕｔｍａｎｉ  Ｓｍｉｌｅｙ、Ｂａｌａｕｓｔｉｕｍ  ｍｅｄｉｃａ
ｇｏｅｎｓｅ  Ｍｅｙｅｒ＆Ｒｙｋｅ、Ｂａｌａｕｓｔｉｕｍ  ｍｕｒｏｒｕｍ（Ｈｅｒ
ｍａｎｎ）からのもの、
ｘ）Ｓｔｉｇｍａｅｉｄａｅ、例えば、Ａｇｉｓｔｅｍｕｓ属、例えば、Ａｇｉｓｔｅ
ｍｕｓ  ｅｘｓｅｒｔｕｓ  Ｇｏｎｚａｌｅｚ；Ｚｅｔｚｅｌｌｉａ属、例えば、Ｚｅｔ
ｚｅｌｌｉａｍａｌｉ（Ｅｗｉｎｇ）からのもの
からなどの、Ｐｒｏｓｔｉｇｍａｔｉｄダニ種
から選択される捕食性ダニ種等、捕食性ダニ種である、請求項１３〜１７に記載の使用。
【発明の詳細な説明】
【技術分野】
【０００１】
本発明は、概して、商業的意義のあるダニの飼育の分野に関する。本発明は、特に、捕
食性ダニとして選択されるダニの商業的飼育に適したダニ組成物、ダニを飼育するための
方法、本発明の組成物を用いた飼育装置、本発明に係る組成物を用いた作物保護のための
方法及びダニ種を飼育するための担体材料の使用に関する。
【背景技術】
【０００２】
過去数年間、ダニへの商業的な関心は増加した。例えば、生物学的な作物保護のための
捕食性ダニの使用は、農業においてますます一般的となっている。現在、捕食性Ｐｈｙｔ
ｏｓｅｉｉｄダニが、植物食性ダニ、アザミウマ及びコナジラミ類等の、有害生物に対抗
するために用いられている。加えて、Ｍａｃｒｏｃｈｅｌｉｄａｅ、Ｌａｅｌａｐｉｄａ
ｅ、Ｃｈｅｙｌｅｔｉｄａｅ、Ｐａｒａｓｉｔｉｄａｅ、Ｔｙｄｅｉｄａｅ、Ｃｕｎａｘ
ｉｄａｅ、Ｅｒｙｔｈｒａｅｉｄａｅ科からなどの、捕食性Ｍｅｓｏｓｔｉｇｍａｔｉｄ
種及び捕食性Ｐｒｏｓｔｉｇｍａｔｉｄ種から選択される他の捕食性ダニ種が、生物学的
有害生物防除において注目を集めており、その一部は市場に参入した。
【０００３】
捕食性ダニの人気を支える推進力は、有害な作物有害生物の防除に対するその有効性と
、許容される価格で商業的意義のある規模においてこれを生産するための大量飼育システ
ムの有用性である。これにより、化学農薬の経済的な代替物としての捕食性ダニの使用が
可能となる。この商業的飼育システムにおいて、捕食性ダニの個体群は、担体に維持され
た培養物において、生きた餌において飼育される。
【０００４】
捕食性ダニのための係る大量飼育システムは、捕食者に適した餌の有用性に大いに依存
する。このことを考慮し、過去数年間、捕食性ダニのための飼育用餌（或いは飼育用宿主
）の用意に大きな労力が費やされてきた。特に、Ａｓｔｉｇｍａｔａ科からのダニが、こ
のような適した飼育用餌として同定された（例えば、ＷＯ２００６／０５７５５２、ＷＯ
２００６／０７１１０７、ＷＯ２００７／０７５０８１、ＷＯ２００８／０１５３９３、
ＷＯ２００８／１０４８０７、及びＥＰ２２３２９８６を参照）。捕食性ダニの飼育にお
けるその役割を考慮すると、飼育用餌の商業的意義は増加している。
【発明の概要】
【発明が解決しようとする課題】
【０００５】
上述を考慮すると、捕食性ダニ及び飼育用餌に適したダニの両方の飼育システムを改善
する必要が引き続きある。そこで本発明の発明者らは、驚くべきことに、商業的意義のあ
るダニの飼育システムが、好ましくは、約１．０〜１５．０ｍｍの最長軸を有する担体要
素を含む担体であって、担体要素の積み重なりがダニ個体のためのシェルターを含む担体
を選択することにより改善され得ることを見出した。いかなる理論に制約されることも望
まないが、ダニ個体のためのシェルターの提供において、ダニ個体は、他のダニ個体によ
る運動活性、妨害、干渉及び共食い等の、妨害性の種間相互作用及び／又は種内相互作用
から避難し得ると考えられる。これは、特に、高い個体群密度における幼若の生活段階に
特に関連し得る。
【０００６】
検査により、産卵のためのダニが、係るダニの飼育において現在用いられている非シェ
ルター担体よりも本発明に係る担体材料を好むことが示された。このような嗜好性は、産
卵が、卵及び幼若の段階の生存及び発生の成功の可能性を増加させるための係る担体の質
を反映し得る。
【課題を解決するための手段】
【０００７】
従って、第１の態様において、本発明は、
ダニ種、好ましくは、捕食性Ｍｅｓｏｓｔｉｇｍａｔｉｄダニ種又は捕食性Ｐｒｏｓｔ
ｉｇｍａｔｉｄダニ種から選択されるダニ種個体の個体群と、
ダニ個体のための食物源と、
担体要素、好ましくは、約１．０〜１５．０ｍｍ、例えば３．０〜９．０ｍｍの最長軸
を有する担体要素を含むダニ種個体のための担体であって、担体要素の積み重なりがダニ
個体のためのシェルターを含む担体と
を含むダニ組成物に関する。
【０００８】
組成物は、ダニ種の飼育に適している。ダニ種は、好ましくは、商業的意義のある種で
ある。捕食性ダニ及び飼育用餌は、最も好ましくは、商業的意義のあるダニ種として選択
される。
【０００９】
捕食性ダニは、
―捕食性Ｍｅｓｏｓｔｉｇｍａｔｉｄダニ種、例えば、以下：
ｉ）Ｐｈｙｔｏｓｅｉｉｄａｅ、例えば、
Ａｍｂｌｙｓｅｉｉｎａｅの亜科、例えば、Ａｍｂｌｙｓｅｉｕｓ属、例えば、Ａｍ
ｂｌｙｓｅｉｕｓ  ａｎｄｅｒｓｏｎｉ、Ａｍｂｌｙｓｅｉｕｓ  ａｅｒｉａｌｉｓ、Ａ
ｍｂｌｙｓｅｉｕｓ  ｓｗｉｒｓｋｉｉ、Ａｍｂｌｙｓｅｉｕｓ  ｈｅｒｂｉｃｏｌｕｓ
又はＡｍｂｌｙｓｅｉｕｓ  ｌａｒｇｏｅｎｓｉｓ、Ｅｕｓｅｉｕｓ属、例えば、Ｅｕｓ
ｅｉｕｓ  ｆｉｎｌａｎｄｉｃｕｓ、Ｅｕｓｅｉｕｓ  ｈｉｂｉｓｃｉ、Ｅｕｓｅｉｕｓ
ｏｖａｌｉｓ、Ｅｕｓｅｉｕｓ  ｖｉｃｔｏｒｉｅｎｓｉｓ、Ｅｕｓｅｉｕｓ  ｓｔｉ
ｐｕｌａｔｕｓ、Ｅｕｓｅｉｕｓ  ｓｃｕｔａｌｉｓ、Ｅｕｓｅｉｕｓ  ｔｕｌａｒｅｎ
ｓｉｓ、Ｅｕｓｅｉｕｓ  ａｄｄｏｅｎｓｉｓ、Ｅｕｓｅｉｕｓ  ｃｏｎｃｏｒｄｉｓ、
Ｅｕｓｅｉｕｓ  ｈｏ又はＥｕｓｅｉｕｓ  ｃｉｔｒｉ、Ｎｅｏｓｅｉｕｌｕｓ属、例え
ば、Ｎｅｏｓｅｉｕｌｕｓ  ｂａｒｋｅｒｉ、Ｎｅｏｓｅｉｕｌｕｓ  ｃａｌｉｆｏｒｎ
ｉｃｕｓ、Ｎｅｏｓｅｉｕｌｕｓ  ｃｕｃｕｍｅｒｉｓ、Ｎｅｏｓｅｉｕｌｕｓ  ｌｏｎ
ｇｉｓｐｉｎｏｓｕｓ、Ｎｅｏｓｅｉｕｌｕｓ  ｗｏｍｅｒｓｌｅｙｉ、Ｎｅｏｓｅｉｕ
ｌｕｓ  ｉｄａｅｕｓ、Ｎｅｏｓｅｉｕｌｕｓ  ａｎｏｎｙｍｕｓ、Ｎｅｏｓｅｉｕｌｕ
ｓ  ｐａｓｐａｌｉｖｏｒｕｓ、Ｎｅｏｓｅｉｕｌｕｓ  ｒｅｄｕｃｔｕｓ又はＮｅｏｓ
ｅｉｕｌｕｓ  ｆａｌｌａｃｉｓ、Ａｍｂｌｙｄｒｏｍａｌｕｓ属、例えば、Ａｍｂｌｙ
ｄｒｏｍａｌｕｓ  ｌｉｍｏｎｉｃｕｓ、Ｔｙｐｈｌｏｄｒｏｍａｌｕｓ属、例えば、Ｔ
ｙｐｈｌｏｄｒｏｍａｌｕｓ  ａｒｉｐｏ、Ｔｙｐｈｌｏｄｒｏｍａｌｕｓ  ｌａｉｌａ
又はＴｙｐｈｌｏｄｒｏｍａｌｕｓ  ｐｅｒｅｇｒｉｎｕｓ、Ｔｙｐｈｌｏｄｒｏｍｉｐ
ｓ属、例えば、Ｔｙｐｈｌｏｄｒｏｍｉｐｓ  ｍｏｎｔｄｏｒｅｎｓｉｓ、Ｐｈｙｔｏｓ
ｅｉｕｌｕｓ属、例えば、Ｐｈｙｔｏｓｅｉｕｌｕｓ  ｐｅｒｓｉｍｉｌｉｓ、Ｐｈｙｔ
ｏｓｅｉｕｌｕｓ  ｍａｃｒｏｐｉｌｉｓ、Ｐｈｙｔｏｓｅｉｕｌｕｓ  ｌｏｎｇｉｐｅ
ｓ、Ｐｈｙｔｏｓｅｉｕｌｕｓ  ｆｒａｇａｒｉａｅからのもの、
Ｔｙｐｈｌｏｄｒｏｍｉｎａｅの亜科、例えば、Ｇａｌｅｎｄｒｏｍｕｓ属、例えば
、Ｇａｌｅｎｄｒｏｍｕｓ  ｏｃｃｉｄｅｎｔａｌｉｓ、Ｔｙｐｈｌｏｄｒｏｍｕｓ属、
例えば、Ｔｙｐｈｌｏｄｒｏｍｕｓ  ｐｙｒｉ、Ｔｙｐｈｌｏｄｒｏｍｕｓ  ｄｏｒｅｅ
ｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍ
ｕｌｌｅｒ）等のＰｒｏｃｔｏｌａｅｌａｐｓ属；Ｂｌａｔｔｉｓｏｃｉｕｓ属、例えば
、Ｂｌａｔｔｉｓｏｃｉｕｓ  ｔａｒｓａｌｉｓ（Ｂｅｒｌｅｓｅ）、Ｂｌａｔｔｉｓｏ
ｃｉｕｓ  ｋｅｅｇａｎｉ（Ｆｏｘ）；Ｌａｓｉｏｓｅｉｕｓ属、例えば、Ｌａｓｉｏｓ
ｅｉｕｓ  ｆｉｍｅｔｏｒｕｍ  Ｋａｒｇ、Ｌａｓｉｏｓｅｉｕｓ  ｆｌｏｒｉｄｅｎｓ
ｉｓ  Ｂｅｒｌｅｓｅ、Ｌａｓｉｏｓｅｉｕｓ  ｂｉｓｐｉｎｏｓｕｓ  Ｅｖａｎｓ、Ｌ
ａｓｉｏｓｅｉｕｓ  ｄｅｎｔａｔｕｓ  Ｆｏｘ、Ｌａｓｉｏｓｅｉｕｓ  ｓｃａｐｕｌ
ａｔｕｓ（Ｋｅｎｅｔｔ）、Ｌａｓｉｏｓｅｉｕｓ  ａｔｈｉａｓａｅ  Ｎａｗａｒ＆Ｎ
ａｓｒ；Ａｒｃｔｏｓｅｉｕｓ属、例えば、Ａｒｃｔｏｓｅｉｕｓ  ｓｅｍｉｓｃｉｓｓ
ｕｓ（Ｂｅｒｌｅｓｅ）；Ｐｒｏｔｏｇａｍａｓｅｌｌｕｓ属、例えば、Ｐｒｏｔｏｇａ
ｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、
Ｓｔｒａｔｉｏｌａｅｌａｐｓ  ｓｃｉｍｉｔｕｓ（Ｗｏｍｅｒｓｌｅｙ）（Ｈｙｐｏａ
ｓｐｉｓ属にも分類される）；Ｇｅｏｌａｅｌａｐｓ、例えば、Ｇｅｏｌａｅｌａｐｓ  
ａｃｕｌｅｉｆｅｒ（Ｃａｎｅｓｔｒｉｎｉ）（Ｈｙｐｏａｓｐｉｓ属にも分類される）
；Ａｎｄｒｏｌａｅｌａｐｓ、例えば、Ａｎｄｒｏｌａｅｌａｐｓ  ｃａｓａｌｉｓ  ｃ
ａｓａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍ
ａｃｒｏｃｈｅｌｅｓ  ｒｏｂｕｓｔｕｌｕｓ（Ｂｅｒｌｅｓｅ）、Ｍａｃｒｏｃｈｅｌ
ｅｓ  ｍｕｓｃａｅｄｏｍｅｓｔｉｃａｅ（Ｓｃｏｐｏｌｉ）、Ｍａｃｒｏｃｈｅｌｅｓ
ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａ
ｍａｓｕｓｑｕｉｓｑｕｉｌｉａｒｕｍ  Ｃａｎｅｓｔｒｉｎｉ；Ｐａｒａｓｉｔｕｓ、
例えば、Ｐａｒａｓｉｔｕｓｆｉｍｅｔｏｒｕｍ（Ｂｅｒｌｅｓｅ）、Ｐａｒａｓｉｔｕ
ｓ  ｂｉｔｕｂｅｒｏｓｕｓ  Ｋａｒｇからのもの、
−  Ｐｒｏｓｔｉｇｍａｔｉｄダニ種、例えば、以下：
ｖｉ）Ｔｙｄｅｉｄａｅ、例えば、Ｈｏｍｅｏｐｒｏｎｅｍａｔｕｓ属、例えば、Ｈｏ
ｍｅｏｐｒｏｎｅｍａｔｕｓ  ａｎｃｏｎａｉ（Ｂａｋｅｒ）；Ｔｙｄｅｕｓ属、例えば
、Ｔｙｄｅｕｓ  ｌａｍｂｉ（Ｂａｋｅｒ）、Ｔｙｄｅｕｓ  ｃａｕｄａｔｕｓ（Ｄｕｇ
ｅｓ）、Ｔｙｄｅｕｓ  ｌａｍｂｉ（Ｂａｋｅｒ）；Ｐｒｏｎｅｍａｔｕｓ属、例えば、
Ｐｒｏｎｅｍａｔｕｓ  ｕｂｉｑｕｉｔｏｕｓ（ＭｃＧｒｅｇｏｒ）からのもの、
ｖｉｉ）Ｃｈｅｙｌｅｔｉｄａｅ、例えば、Ｃｈｅｙｌｅｔｕｓ属、例えば、Ｃｈｅｙ
ｌｅｔｕｓ  ｅｒｕｄｉｔｕｓ（Ｓｃｈｒａｎｋ）、Ｃｈｅｙｌｅｔｕｓ  ｍａｌａｃｃ
ｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌ
ｅｏｓｃｉｒｕｓ  ｓｉｍｐｌｅｘ（Ｅｗｉｎｇ）、Ｃｕｎａｘａ属、例えば、Ｃｕｎａ
ｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌ
ａｕｓｔｉｕｍ  ｐｕｔｍａｎｉ  Ｓｍｉｌｅｙ、Ｂａｌａｕｓｔｉｕｍ  ｍｅｄｉｃａ
ｇｏｅｎｓｅ  Ｍｅｙｅｒ＆Ｒｙｋｅ、Ｂａｌａｕｓｔｉｕｍ  ｍｕｒｏｒｕｍ（Ｈｅｒ
ｍａｎｎ）からのもの、
ｘ）Ｓｔｉｇｍａｅｉｄａｅ、例えば、Ａｇｉｓｔｅｍｕｓ属、例えば、Ａｇｉｓｔｅ
ｍｕｓ  ｅｘｓｅｒｔｕｓ  Ｇｏｎｚａｌｅｚ；Ｚｅｔｚｅｌｌｉａ属、例えば、Ｚｅｔ
ｚｅｌｌｉａｍａｌｉ（Ｅｗｉｎｇ）からのもの
からのもの
から選択することができる。
【００１０】
当業者であれば、本発明の範囲内の使用に適した上述及び他のダニの天然の生息場所に
関する知識を有し、このような生息場所から該ダニを単離することができるであろう。代
替及び同等の名称が、特定のダニ種に利用され得ることに留意されたい。例えば、Ａｍｂ
ｌｙｄｒｏｍａｌｕｓ  ｌｉｍｏｎｉｃｕｓが、代替及び同等の名称のＡｍｂｌｙｓｅｉ
ｕｓ  ｌｉｍｏｎｉｃｕｓ及びＴｙｐｈｌｏｄｒｏｍａｌｕｓ  ｌｉｍｏｎｉｃｕｓとし
ても知られていることは当業者に公知である。
【００１１】
Ｐｈｙｔｏｓｅｉｉｄ種として選択される場合、ダニ種は、好ましくは、Ａｍｂｌｙｓ
ｅｉｕｓ  ｓｗｉｒｓｋｉｉ、Ａｍｂｌｙｓｉｅｕｓ  ａｅｒｉａｌｉｓ、Ａｍｂｌｙｓ
ｅｉｕｓ  ａｎｄｅｒｓｏｎｉ、Ｎｅｏｓｅｉｕｌｕｓ  ｂａｒｋｅｒｉ、Ｎｅｏｓｅｉ
ｕｌｕｓ  ｃａｌｉｆｏｒｎｉｃｕｓ、Ｎｅｏｓｅｉｕｌｕｓ  ｃｕｃｕｍｅｒｉｓ、Ｎ
ｅｏｓｅｉｕｌｕｓ  ｆａｌｌａｃｉｓ、Ｔｙｐｈｌｏｄｒｏｍｉｐｓ  ｍｏｎｔｄｏｒ
ｅｎｓｉｓ又はＡｍｂｌｙｄｒｏｍａｌｕｓ  ｌｉｍｏｎｉｃｕｓから選択されるＰｈｙ
ｔｏｓｅｉｉｄ種である。
【００１２】
捕食性Ｍｅｓｏｓｔｉｇｍａｔｉｄダニ個体又は捕食性Ｐｒｏｓｔｉｇｍａｔｉｄダニ
個体に適切な食物源の選択は、当業者の知識の範囲内である。当業者であれば理解できる
通り、食物源の適合性は、選択されたダニに依存するであろう。天然の餌、Ａｓｔｉｇｍ
ａｔｉｄ餌ダニ等の飼育用餌、人工食餌、Ｔｅｔｒａｎｙｃｈｉｄａｅ由来の卵、Ｅｐｈ
ｅｓｔｉａ又はＳｉｔｏｔｒｏｇａ由来の卵等のＬｅｐｉｄｏｐｔｅｒａ由来の卵、植物
の花粉は、ダニの要求に応じて適合性となり得る。当業者であれば認識できようが、Ｐｈ
ｙｔｏｓｅｉｕｌｕｓ種は、食物源としてＴｅｔｒａｎｉｃｈｉｄ、好ましくはＴｅｔｒ
ａｎｉｃｈｉｄ卵、より好ましくは、Ｔｅｔｒａｎｉｃｈｕｓ  ｕｒｔｉｃａｅ由来の卵
を要求する。
【００１３】
Ｐｈｙｔｏｓｅｉｉｄａｅ（Ｐｈｙｔｏｓｅｉｕｌｕｓ種を除く）、Ａｓｃｉｄａｅ、
Ｌａｅｌａｐｉｄａｅ、Ｍａｃｒｏｃｈｅｌｉｄａｅ、Ｐａｒａｓｉｔｉｄａｅ、Ｃｈｅ
ｙｌｅｔｉｄａｅ、Ｃｕｎａｘｉｄａｅ、Ｅｒｙｔｈｒａｅｉｄａｅ又はＳｔｉｇｍａｅ
ｉｄａｅのため、飼育用餌は、Ａｓｔｉｇｍａｔａ亜目から選択することができる。Ａｓ
ｔｉｇｍａｔｉｄダニは、Ｈｕｇｈｅｓ  Ａ．Ｍ．、１９７７に記載されている通りにそ
の天然の生息場所から単離することができ、Ｐａｒｋｉｎｓｏｎ、Ｃ．Ｌ．（１９９２）
及びＳｏｌｏｍｏｎ、Ｍ．Ｅ．＆Ｃｕｎｎｉｎｇｔｏｎ、Ａ．Ｍ．（１９６３）に記載さ
れている通りに維持及び培養することができる。例えば、適したＡｓｔｉｇｍａｔｉｄ飼
育用餌種は、
ｉ）Ｃａｒｐｏｇｌｙｐｈｉｄａｅ、例えば、Ｃａｒｐｏｇｌｙｐｈｕｓ属、例えば、
Ｃａｒｐｏｇｌｙｐｈｕｓ  ｌａｃｔｉｓからのもの、
ｉｉ）Ｐｙｒｏｇｌｙｐｈｉｄａｅ、例えば、Ｄｅｒｍａｔｏｐｈａｇｏｉｄｅｓ属、
例えば、Ｄｅｒｍａｔｏｐｈａｇｏｉｄｅｓ  ｐｔｅｒｏｎｙｓｉｎｕｓ、Ｄｅｒｍａｔ
ｏｐｈａｇｏｉｄｅｓ  ｆａｒｉｎａｅ；Ｅｕｒｏｇｌｙｐｈｕｓ属、例えば、Ｅｕｒｏ
ｇｌｙｐｈｕｓ  ｌｏｎｇｉｏｒ、Ｅｕｒｏｇｌｙｐｈｕｓ  ｍａｙｎｅｉ；Ｐｙｒｏｇ
ｌｙｐｈｕｓ属、例えば、Ｐｙｒｏｇｌｙｐｈｕｓ  ａｆｒｉｃａｎｕｓからのもの、
ｉｉｉ）Ｇｌｙｃｙｐｈａｇｉｄａｅ、例えば、Ｃｔｅｎｏｇｌｙｐｈｉｎａｅ亜科、
例えば、Ｄｉａｍｅｓｏｇｌｙｐｈｕｓ属、例えば、Ｄｉａｍｅｓｏｇｌｙｐｈｕｓ  ｉ
ｎｔｅｒｍｅｄｉｕｓｏｒ、Ｃｔｅｎｏｇｌｙｐｈｕｓ属、例えば、Ｃｔｅｎｏｇｌｙｐ
ｈｕｓ  ｐｌｕｍｉｇｅｒ、Ｃｔｅｎｏｇｌｙｐｈｕｓ  ｃａｎｅｓｔｒｉｎｉｉ、Ｃｔ
ｅｎｏｇｌｙｐｈｕｓ  ｐａｌｍｉｆｅｒからのもの；Ｇｌｙｃｙｐｈａｇｉｎａｅ亜科
、例えば、Ｂｌｏｍｉａ属、例えば、Ｂｌｏｍｉａ  ｆｒｅｅｍａｎｉ又はＧｌｙｃｙｐ
ｈａｇｕｓ属、例えば、Ｇｌｙｃｙｐｈａｇｕｓ  ｏｒｎａｔｕｓ、Ｇｌｙｃｙｐｈａｇ
ｕｓ  ｂｉｃａｕｄａｔｕｓ、Ｇｌｙｃｙｐｈａｇｕｓ  ｐｒｉｖａｔｕｓ、Ｇｌｙｃｙ
ｐｈａｇｕｓ  ｄｏｍｅｓｔｉｃｕｓ又はＬｅｐｉｄｏｇｌｙｐｈｕｓ属、例えば、Ｌｅ
ｐｉｄｏｇｌｙｐｈｕｓ  ｍｉｃｈａｅｌｉ、Ｌｅｐｉｄｏｇｌｙｐｈｕｓ  ｆｕｓｔｉ
ｆｅｒ、Ｌｅｐｉｄｏｇｌｙｐｈｕｓ  ｄｅｓｔｒｕｃｔｏｒ又はＡｕｓｔｒｏｇｌｙｃ
ｙｐｈａｇｕｓ属、例えば、Ａｕｓｔｒｏｇｌｙｃｙｐｈａｇｕｓ  ｇｅｎｉｃｕｌａｔ
ｕｓからのもの；Ａｅｒｏｇｌｙｐｈｉｎａｅ亜科、例えば、Ａｅｒｏｇｌｙｐｈｕｓ属
、例えば、Ａｅｒｏｇｌｙｐｈｕｓ  ｒｏｂｕｓｔｕｓからのもの；Ｌａｂｉｄｏｐｈｏ
ｒｉｎａｅ亜科、例えば、Ｇｏｈｉｅｒｉａ属、例えば、Ｇｏｈｉｅｒｉａ．  ｆｕｓｃ
ａからのもの；Ｎｙｃｔｅｒｉｇｌｙｐｈｉｎａｅ亜科、例えば、Ｃｏｐｒｏｇｌｙｐｈ
ｕｓ属、例えば、Ｃｏｐｒｏｇｌｙｐｈｕｓ  ｓｔａｍｍｅｒｉからのもの；Ｃｈｏｒｔ
ｏｇｌｙｐｈｉｄａｅ亜科、例えば、Ｃｈｏｒｔｏｇｌｙｐｈｕｓ属、例えば、Ｃｈｏｒ
ｔｏｇｌｙｐｈｕｓ  ａｒｃｕａｔｕｓ等からのもの、より好ましくは、Ｇｌｙｃｙｐｈ
ａｇｉｎａｅ亜科から選択され、より好ましくは、Ｇｌｙｃｙｐｈａｇｕｓ属又はＬｅｐ
ｉｄｏｇｌｙｐｈｕｓ属から選択され、最も好ましくは、Ｇｌｙｃｙｐｈａｇｕｓ  ｄｏ
ｍｅｓｔｉｃｕｓ又はＬｅｐｉｄｏｇｌｙｐｈｕｓ  ｄｅｓｔｒｕｃｔｏｒから選択され
る、
ｉｖ）Ａｃａｒｉｄａｅ、例えば、Ｔｙｒｏｐｈａｇｕｓ属、例えば、Ｔｙｒｏｐｈａ
ｇｕｓ  ｐｕｔｒｅｓｃｅｎｔｉａｅ、Ｔｙｒｏｐｈａｇｕｓ  ｔｒｏｐｉｃｕｓ；Ａｃ
ａｒｕｓ属、例えば、Ａｃａｒｕｓ  ｓｉｒｏ、Ａｃａｒｕｓ  ｆａｒｒｉｓ、Ａｃａｒ
ｕｓ  ｇｒａｃｉｌｉｓ；Ｌａｒｄｏｇｌｙｐｈｕｓ属、例えば、Ｌａｒｄｏｇｌｙｐｈ
ｕｓ  ｋｏｎｏｉ；Ｔｈｙｒｅｏｐｈａｇｕｓ  ｅｎｔｏｍｏｐｈａｇｕｓ等のＴｈｙｒ
ｅｏｐｈａｇｕｓ属；Ａｌｅｕｒｏｇｌｙｐｈｕｓ属、例えば、Ａｌｅｕｒｏｇｌｙｐｈ
ｕｓ  ｏｖａｔｕｓからのもの、
ｖ）Ｓｕｉｄａｓｉｉｄａｅ、例えば、Ｓｕｉｄａｓｉａ  ｎｅｓｂｉｔｉ、Ｓｕｉｄ
ａｓｉａ  ｐｏｎｔｉｆｉｃａ又はＳｕｉｄａｓｉａ  ｍｅｄａｎｅｎｓｉｓ等のＳｕｉ
ｄａｓｉａ属からのもの
から選択することができる。
【００１４】
Ａｓｔｉｇｍａｔａに関する記述は、Ｈｕｇｈｅｓ（１９７７）に提示されている。好
ましいＡｓｔｉｇｍａｔｉｄダニは、Ｌｅｐｉｄｏｇｌｙｐｈｕｓ  ｄｅｓｔｒｕｃｔｏ
ｒ、Ｃａｒｐｏｇｌｙｐｈｕｓ属、例えば、Ｃａｒｐｏｇｌｙｐｈｕｓ  ｌａｃｔｉｓ、
Ｔｈｙｒｅｏｐｈａｇｕｓ  ｅｎｔｏｍｏｐｈａｇｕｓ等のＴｈｙｒｅｏｐｈａｇｕｓ属
等のＣａｒｐｏｇｌｙｐｈｉｄａｅ、Ａｃａｒｉｄａｅ、Ｓｕｉｄａｓｉａ  ｐｏｎｔｉ
ｆｉｃａ又はＳｕｉｄａｓｉａ  ｍｅｄａｎｅｎｓｉｓから選択することができる。又は
、Ｂｌｏｍｉａ  ｓｐｐ．から選択することができる。
【００１５】
本発明に係る組成物は、ダニ種個体の個体群を含む。個体群は、好ましくは、飼育用個
体群である。本明細書において、飼育という用語は、有性生殖による個体群の繁殖及び増
加を包含するものと理解する必要がある。飼育用個体群は、両方の性の性的に成熟した成
虫、及び／又は他の生活段階、例えば、性的に成熟した成虫へと成熟することができる卵
及び／又は若虫の両方の性の個体を含むことができる。或いは、飼育用個体群は、１匹又
は複数の受精した雌を含むことができる。本質的には、飼育用個体群は、有性生殖によっ
てその個体数を増加させることができる。
【００１６】
本発明の組成物は、ダニ種個体のための担体を更に含む。捕食性ダニ及び飼育用餌等の
ダニの飼育を行う際の担体材料の使用は、公知のものである。三次元培養物としてダニ培
養物を維持する可能性を考慮すると、細かく分割された担体要素を含む担体の使用が一般
的である。係る担体は、通常、約１．０〜１５．０ｍｍ、例えば、３．０〜９．０ｍｍの
最長軸を有する担体要素を含む。ふすま、バーミキュライト、トウモロコシ穂軸の粗挽き
（corn cob grit）及びおがくずは、先行技術の公知の担体である。本発明の担体要素に
関し、平均最長軸は、約１．０〜１５．０ｍｍ、例えば、３．０〜９．０ｍｍである。
【００１７】
本発明の組成物は、担体要素の積み重なりがダニ個体のためのシェルターを含むことを
特徴とする。一般用語において、シェルターは、妨害性の外部影響からの避難所を提供す
る居所として定義することができる。本発明に係る担体のシェルターは、特に、卵、幼虫
及び若虫等、幼若の生活段階のダニ個体に係る避難所を提供する。係るシェルターは、他
の捕食性ダニ個体又は餌ダニ個体による運動活性、妨害及び干渉等、妨害性の影響並びに
捕食性ダニによる共食いから捕食性ダニを保護するであろう。本発明の開示に基づき、当
業者に共通の一般知識と組み合わせると、当業者であれば、ダニシェルターの構造的要件
を理解することができよう。よって、当業者であれば、ダニシェルター、特に、捕食性ダ
ニ又は飼育用餌から選択される商業的に関連するダニに適したシェルターを含む適切な担
体を設計及び／又は選択することができよう。
【００１８】
本発明の一実施形態において、シェルターは、担体要素の材料がダニ個体を遮蔽する区
域に提供され得、この区域に位置する場合、直交性又は逆向きの関係を有する少なくとも
３方向において、その周囲から遮蔽する。周囲からの遮蔽とは、妨害性の外部相互作用を
少なくとも抑制する、好ましくは制限する、最も好ましくは実質的に排除することとして
理解されたい。このような妨害性の外部相互作用は、特に、例えば、運動及び関連する他
のダニとの身体接触等の、組成物中の他のダニによって産生又はもたらされる。しかし、
例えば、ダニが捕食性ダニである場合、同じ種の個体による共食い性の捕食の可能性もあ
る。あらゆる捕食性ダニは、ある程度で、共食い行動を示すことを理解されたい。このよ
うな妨害性相互作用は、ダニ個体の産卵速度、未成熟期及び成虫の生存及び長寿命のうち
１つ以上に悪影響を及ぼすため、個体群発達速度に悪影響を及ぼす。このような妨害性相
互作用の強度は、通常、より高い個体群密度において増加するであろう。しかし、ダニの
商業的生産者は、可能な限り生産コストを抑制するために、可能な限り高い個体群密度と
個体群発達速度の達成を目標とする。本発明の一実施形態において、シェルター化は、妨
害性相互作用からダニ個体を遮蔽することにより達成することができる。この遮蔽は、ダ
ニ個体への接近を抑制させることにより達成することができる。
【００１９】
理解できる通り、直交性又は逆向きの関係を有する方向は、ダニ個体が原点に存在する
場合、原点（０，０，０）からの方向における仮想の直交性（又はデカルト（Cartesian
））三次元座標系の６軸（正のＸ、負のＸ、正のＹ、負のＹ、正のＺ、負のＺ）に沿った
方向に相当する。これらの方向は、垂直（直交性）又は逆向きいずれかの方向である。図
１に描写されている通り、三次元空間において、これらの方向の最大数は６である。
【００２０】
本発明の一実施形態において、ダニ個体は、シェルター区域に位置する場合、このよう
な方向の少なくとも３方向、好ましくは、このような方向の少なくとも４方向、最も好ま
しくは、このような方向の少なくとも５方向、例えばこのような方向の５方向等において
、その周囲から遮蔽される。このような方向の３方向における遮蔽は、図２又は図３に提
示されているような３平面間に形成される角と同様の構造によって提供することができる
。このような方向の少なくとも４方向における遮蔽は、図４に提示されている２側面が開
口した「箱」等の構造によって提供することができる。５方向における遮蔽は、開口した
立方体が得られるように、４平面の「箱」の側壁に５番目の水平平面が配置された図３の
状況において提供できよう。
【００２１】
組成物における他のダニによってもたらされる外部影響からダニ個体を遮蔽するために
、シェルターは、シェルターの体積が１〜１４０ｍｍ３、例えば、２〜１２０ｍｍ３、２
〜１００ｍｍ３、２〜８０ｍｍ３、２〜７０ｍｍ３、２〜６０ｍｍ３、２〜５０ｍｍ３、
２〜４０ｍｍ３、２〜３０ｍｍ３、２〜２５ｍｍ３、２〜２０ｍｍ３、２〜１８ｍｍ３、
２〜１６ｍｍ３、２〜１４ｍｍ３、２〜１２ｍｍ３、２〜１０ｍｍ３、２〜８ｍｍ３、２
〜６ｍｍ３又は２〜４ｍｍ３となるような寸法を有することが好ましい。これにより、シ
ェルター中に妨害効果を生じ得る過剰に多いダニ個体が存在する可能性を抑制する。
【００２２】
シェルターにダニ個体が接近可能である必要があることが明らかである。この点におい
て、ダニにとって接近可能でない区域は、シェルターとして認めることができないことに
留意されたい。本発明の特定の実施形態において、ダニ個体にとって良好な接近可能性を
有するために、区域は、少なくとも０．３〜１．２ｍｍ、例えば、０．５〜１．０ｍｍ又
は０．５〜０．８ｍｍの接近直径と、少なくとも０．２５〜１．４４ｍｍ２、０．３０〜
１．２０ｍｍ２、０．３０〜１．００ｍｍ２、０．３０〜０．８０ｍｍ２、０．３０〜０
．９０ｍｍ２の接近区域で接近することができる。飼育しようとするダニ種の最大サイズ
に応じて、適した担体寸法を選択することができる。例えば、Ａｍｂｌｙｄｒｏｍａｌｕ
ｓ  ｌｉｍｏｎｉｃｕｓ（Ｐｈｙｔｏｓｅｉｉｄａｅ）は、相対的に小型であり、雌の最
大幅は、０．３０ｍｍ前後である。同じ最大幅を有するＢｌａｔｔｉｓｏｃｉｕｓ  ｔａ
ｒｓａｌｉｓ（Ａｓｃｉｄａｅ）についても同様のことが言える。このようなダニに関し
て、接近直径０．５〜０．８ｍｍ及び接近面積０．３０〜０．９０ｍｍ２を有するシェル
ター接近で十分であろう。これにより、雌は、シェルター内に卵を産み付けることができ
、次の発生段階は、そこに留まる又は歩き回ることができる。アワもみ殻は、要求された
寸法に適合する担体を提供することができる。Ｃｈｅｙｌｅｔｕｓ  ｅｒｕｄｉｔｕｓ（
Ｃｈｅｙｌｅｔｉｄａｅ）（最大幅＝０．３５ｍｍ）等の中間サイズのダニ、及びＭａｃ
ｒｏｃｈｅｌｅｓ  ｍｕｓｃａｅｄｏｍｅｓｔｉｃａｅ（Ｍａｃｒｏｃｈｅｌｉｄａｅ）
（最大幅＝０．６０ｍｍ）等の大型のダニは、適合し得るオリザ（ｏｒｙｚａ）種由来の
もみ殻等の、より大きな殻サイズを要求し得る。
【００２３】
ダニシェルターは、窪み、凹部、孔、チャンバ、空洞、隙間、凹み、ポケット、チュー
ブ、ドーム、タブ及び同様の構造により形成された空隙等の空隙により提供することがで
きる。好ましくは、上に記載の体積及び／又は接近の寸法と一致するこのような空隙は、
ダニシェルターとして適している。
【００２４】
ダニ個体のためのシェルターは、積み重なって存在する個々の担体要素の上又はその中
に存在することができる。即ち、積み重ねた個々の担体要素は、ダニシェルターとして適
した構造を含む。或いは、ダニシェルターは、積み重ねた担体要素間に形成することがで
きる。即ち、担体要素の積み重なりにおいて、複数の担体要素が一体に、ダニシェルター
として適した構造を形成する。「担体要素の積み重なり」は、多数の担体要素の三次元的
な順序付けを意味するものと理解されたい。用語「順序付け」は、ランダムな順序付けを
包含する。
【００２５】
本発明の範囲内において、もみ殻に由来する担体要素を用いることができる。当業者で
あれば、もみ殻という用語の意味を知り、もみ殻が、草種（特に穀物）の種子の乾燥した
鱗片状の保護的な外皮（殻）である、又は花の鱗片状部分若しくは細かく刻んだわら等の
、類似の細かい乾燥した鱗片状の植物材料であることを理解できよう。好ましい一実施形
態において、もみ殻は、草（イネ科植物（Ｐｏａｃｅａｅ）又はイネ科植物（Ｇｒａｍｉ
ｎｅａｅ））種に由来し、最も好ましくは、コムギ、オリザ種、ライムギ、カラスムギ又
はアワ由来のもみ殻等、穀類種由来のもみ殻である。殻が特に好ましい。特に、アワ由来
の殻は、優れた外部及び内部寸法を有し、これにより、ダニ飼育用基質として非常に適し
たものとなる。
【００２６】
本発明の用語「アワ」に含まれる種は、トウジンビエ又はＢａｊｒａ（Ｐｅｎｎｉｓｅ
ｔｕｍ  ｇｌａｕｃｕｍ）；フォックステイルミレット（Ｓｅｔａｒｉａ  ｉｔａｌｉｃ
ａ）；キビ、コモンミレット、ブルームコーンミレット、ホッグミレット又はホワイトミ
レット（Ｐａｎｉｃｕｍ  ｍｉｌｉａｃｅｕｍ）；シコクビエ（Ｅｌｅｕｓｉｎｅ  ｃｏ
ｒａｃａｎａ）（インドではＲａｇｉ、Ｎａｃｈａｎｉ又はＭａｎｄｗａとしても公知）
、インドビエ又はサワミレット（Ｅｃｈｉｎｏｃｈｌｏａ  ｆｒｕｍｅｎｔａｃｅａ）；
日本アワ（Ｅｃｈｉｎｏｃｈｌｏａ  ｅｓｃｕｌｅｎｔａ）；コドミレット（Ｐａｓｐａ
ｌｕｍ  ｓｃｒｏｂｉｃｕｌａｔｕｍ）；リトルミレット（Ｐａｎｉｃｕｍ  ｓｕｍａｔ
ｒｅｎｓｅ）；ギニアミレット（Ｂｒａｃｈｉａｒｉａ  ｄｅｆｌｅｘａ＝Ｕｒｏｃｈｌ
ｏａ  ｄｅｆｌｅｘａ）；ブラウントップミレット（Ｕｒｏｃｈｌｏａ  ｒａｍｏｓａ＝
Ｂｒａｃｈｉａｒｉａ  ｒａｍｏｓａ＝Ｐａｎｉｃｕｍ  ｒａｍｏｓｕｍ）を包含する。
テフ（Ｅｒａｇｒｏｓｔｉｓ  ｔｅｆ）及びフォニオ（Ｄｉｇｉｔａｒｉａ  ｅｘｉｌｉ
ｓ）もまた、アワと呼ばれることが多く、より稀ではあるが、ソルガム（Ｓｏｒｇｈｕｍ
ｓｐｐ．）及びハトムギ（Ｃｏｉｘ  ｌａｃｒｉｍａ−ｊｏｂｉ）も同様である。本発
明のため、これらの種もまた、用語「アワ」に含まれる。
【００２７】
ダニシェルターの提供に適した担体要素の寸法及びその構造配置とは別に、生分解の観
点から担体要素が不活性であることが好ましい。これは、担体材料が、真菌及び／又は細
菌等の微生物にとって不毛な生育的基質であることを意味する。これは、ダニ飼育条件下
における潜在的な問題である真菌生育等の、微生物生育の制御に役立つ。上述のもみ殻及
び特に好ましいもみ殻種類は、真菌にとって非常に不毛な生育的基質である。
【００２８】
本発明の更に別の一態様は、ダニ種の個体群を飼育するための方法であって、
（ｉ）本発明に係る組成物を用意するステップと、
（ｉｉ）ダニ個体群の個体に食物源を食させるステップと
を含む方法に関する。
【００２９】
捕食性ダニ等のダニを飼育するための方法であって、Ｐｈｙｔｏｓｅｉｉｄ捕食者等の
捕食者の個体群を、Ａｓｔｉｇｍａｔｉｄダニの個体群を含む食物源等の食物源に関連さ
せて、該捕食者の個体に該食物源を食させる方法は、本技術分野において公知のものであ
る。本発明に係る方法は、本発明に係る組成物が担体要素を含み、担体要素の積み重なり
がダニ個体のためのシェルターを含むという点において、先行技術の方法と区別される。
【００３０】
本発明による組成物の技術的側面は、既に上に記述されている。
【００３１】
本発明の更にまた別の一態様は、捕食性ダニのようなダニ種を飼育するための飼育装置
であって、本発明による組成物を収容する容器を含むシステムに関する。好ましい一実施
形態において、容器は、好ましくは、ダニの少なくとも１つの運動性である生活段階のた
めの出口、より好ましくは、前記少なくとも１つの運動性である生活段階の持続的な放出
をもたらすのに適した出口を含む。
【００３２】
別の一態様において、本発明は、作物有害生物を防除するための、本発明の組成物又は
本発明に係る飼育システムの使用に関する。本態様において、ダニは、捕食性ダニとして
選択される。当業者であれば、作物有害生物の防除に対する捕食性ダニの適合性を理解す
るであろう。これに関して、Ｇｅｒｓｏｎら（２００３）を参照することができる。例え
ば、捕食性ダニが、Ｐｈｙｔｏｓｅｉｉｄ捕食者として選択される場合。効果的に防除さ
れ得る有害生物は、Ｔｒｉａｌｅｕｒｏｄｅｓ  ｖａｐｏｒａｒｉｏｒｕｍ若しくはＢｅ
ｍｉｓｉａ  ｔａｂａｃｉ等のコナジラミ類；Ｔｈｒｉｐｓ  ｔａｂａｃｉ等のアザミウ
マ又はＦｒａｎｋｌｉｎｉｅｌｌａ  ｏｃｃｉｄｅｎｔａｌｉｓ等のＦｒａｎｋｌｉｎｉ
ｅｌｌａ  ｓｐｐ．、Ｔｅｔｒａｎｙｃｈｕｓ  ｕｒｔｉｃａｅ等のハダニ又はＰｏｌｙ
ｐｈａｇｏｔａｒｓｏｎｅｍｕｓ等の他の植物食性ダニから選択することができる。
【００３３】
本発明に係る組成物による処理によって恩恵を受け得る作物は、トウガラシ（pepper）
（Ｃａｐｓｉｃｕｍ  ａｎｎｕｕｍ）、ナス（Ｓｏｌａｎｕｍ  ｍｅｌｏｇｅｎａ）、キ
ュウリ（ｃｕｃｕｍｉｓ  ｓａｔｉｖａ）、メロン（ｃｕｃｕｍｉｓ  ｍｅｌｏ）、スイ
カ（Ｃｉｔｒｕｌｌｕｓ  ｌａｎａｔｕｓ）等のウリ科植物（Curcubit）（Ｃｕｃｕｒｂ
ｉｔａｃｅａｅ）等、（温室）野菜作物；ソフトフルーツ（イチゴ（Ｆｒａｇａｒｉａ×
ａｎｎａｎａｓｓａ）、ラズベリー（Ｒｕｂｕｓ  ｉｄｅａｕｓ）等）、（温室）鑑賞用
作物（バラ、ガーベラ、キク等）又はＣｉｔｒｕｓ  ｓｐｐ．等、樹木作物から選択する
ことができるがこれらに制限されない。
【００３４】
本発明の更に別の一態様は、作物における生物学的有害生物防除のための方法に関する
。本方法は、本発明の組成物を前記作物に与えるステップを含む。有害生物及び作物は、
上述通りに選択することができる。
【００３５】
本発明による方法において、組成物は、近傍において、例えば、多数の作物植物の上に
又はその基礎等に、前記組成物の量を適用することにより与えることができる。組成物は
、増強的生物学的有害生物防除のための捕食性ダニ組成物利用の慣例通りに、作物植物上
に又は作物植物の基礎に拡散させることにより、単純に作物植物に与えることができる。
拡散によって個々の作物植物それぞれに与えることのできる組成物の量は、１〜２０ｍｌ
から２０ｍｌ、例えば、１〜１０ｍｌ、好ましくは、２〜５ｍｌに及び得る。或いは、組
成物は、作物における捕食性ダニの放出に適した本発明による飼育システムにおいて、多
数の作物植物に与えることができる。飼育システムは、多数の作物の間又はその基礎等、
近傍に配置することができる。本発明による生物学的有害生物防除のための方法において
、全作物植物に組成物を与える必要はない。商品作物は、通常、密集して栽培されている
ためである。捕食性ダニは、作物植物から作物植物へと拡散することができる。十分な作
物保護を達成するために本発明による組成物を与えなければならない作物植物の数は、具
体的な状況に依存し得、当業者が、この分野における自身の経験に基づき容易に決定する
ことができる。通常、１ヘクタール当たりの放出される捕食性ダニの数を決定することが
多い。この数は、１ヘクタール当たり１０００〜３百万、典型的には２５０．０００〜１
百万又は２５０．０００〜５００．０００に及び得る。
【００３６】
本発明の更に別の一態様は、ダニ種の個体群を飼育するための、担体要素、好ましくは
約１．０〜１５．０ｍｍ、例えば３．０〜９．０ｍｍの最長軸を有する担体要素を含む担
体材料の使用であって、担体要素の積み重なりが、ダニ個体のためのシェルターを含む使
用に関する。上の記述から明らかな通り、係る担体は、捕食性ダニ等のダニの飼育、及び
生物学的防除剤としてのその使用に一定の利益を有する。とりわけ、シェルターのない担
体における飼育と比べて、個体群密度が増加し得る。また、シェルターは、機械的ストレ
ス、例えば、強制的なガス流における吹きつけによる等の、圃場における分布の際にダニ
が晒され得る機械的ストレスからの保護を提供することができる。従って、一実施形態に
おいて、使用は、吹きつけによって分布させるためのダニの飼育を目標とする。
【００３７】
次に、添付の図面及び実施例を参照しつつ、本発明をより詳細に説明する。これらの図
面及び実施例は、単なる説明目的のものであり、特許請求の範囲に定義されている本発明
の範囲を制限するものでは決してないことを強調したい。
【図面の簡単な説明】
【００３８】
【図１】図１は、三次元直交性（デカルト）座標系を提示する。軸Ｘ、Ｙ、Ｚに沿って、原点（０，０，０）からの６方向を定義することができる（正のＸに沿う、負のＸに沿う、正のＹに沿う、負のＹに沿う、正のＺに沿う、負のＺに沿う）。これらの方向は、垂直（直交性）又は逆向きのいずれかの方向である。
【図２】図２は、シェルターの図式的概観を提示し、図中、ダニ個体（１）は、矢印（２）、（３）、（４）で示される３方向において、その周囲との相互作用から遮蔽されている。シェルターは、床部平面（５）、第１の側方平面（６）及び第２の側方平面（７）によって提供される。相互作用による影響は、依然として、矢印（８）、（９）、（１０）で示される方向の周囲から来る可能性がある。
【図３】図３は、代替的なシェルターの図式的概観を提示し、図中、ダニ個体（１）は、矢印（２）、（３）、（４）で示される３方向において、その周囲との相互作用から遮蔽されている。シェルターは、床部平面（５）、第１の側方平面（６）及び第２の側方平面（７）によって提供される。相互作用による影響は、依然として、矢印（８）、（９）、（１０）で示される方向の周囲から来る可能性がある。
【図４】図４は、シェルターの図式的概観を提示し、図中、ダニ個体（１）は、矢印（２）、（３）、（４）、（８）で示される４方向において、その周囲との相互作用から遮蔽されている。シェルターは、床部平面（５）、第１の側方平面（６）、第２の側方平面（７）及び第３の側方平面（１１）によって提供される。相互作用による影響は、依然として、矢印（９）、（１０）で示される方向の周囲から来る可能性がある。側方平面（６）、（７）、（１１）に被覆平面を配置すれば、周囲の相互作用からダニ個体を更に遮蔽することができることは明らかであろう。加えて、更に別の側方平面を側方平面（７）と垂直に配置すれば、周囲からの遮蔽を更に増強することができる。このようにして、ダニ個体（１）は、矢印（１０）で示す方向において、周囲から遮蔽することもできよう。
【発明を実施するための形態】
【００３９】
図１〜４の略図は、長方形形状で提示されているが、窪み、凹部、孔、チャンバ、空洞
、隙間、凹み、ポケット、チューブ、ドーム、タブ及び同様の構造等の非長方形構造によ
って同様の遮蔽効果をもたらすことができることを理解されたい。
【００４０】
［実施例Ｉ］
＜セットアップ＞
２種の捕食性ダニ、Ａ．ｓｗｉｒｓｋｉｉ及びＡ．ｌｉｍｏｎｉｃｕｓを、異なる担体
型に対するその嗜好性に関して試験した。卵段階の飼育開始からおよそ１０日後に成熟雌
を収集した。提供された３種の担体は、アワもみ殻；本発明による担体、コムギふすま；
標準担体及びバーミキュライト（微粒子、全粒子＜２ｍｍ）；同様に標準担体であった。
全担体を湿った形態で（１５ｍｌ水／１００ｇ添加）同時に与えた。各担体のうち、２ポ
ーションを、放出ポイントから不動された距離で（４ｃｍ）互いに向き合わせて置いた。
被験基質は全て、０．５ｃｃの同一体積で与えた（アリーナ毎に２ポーションに分ける）
。試験開始時に、各種１０匹の雌及び２匹の雄を、各プラスチック選択アリーナ（φ＝１
２ｃｍ）の中間に置いた。アリーナを湿った脱脂綿上に置き、捕食性ダニに水を与え、逃
避を防止した。放出ポイントに食物源としてＴｙｐｈａ花粉を置いた。複製数は３であり
、頂点位置（１２時の位置）における別の基質により、その後のアリーナの位置を定めた
。
【００４１】
２５℃、７５％ＲＨ及び１６：８（Ｌ：Ｄ）光環境の条件の気候室において試験を行い
、アリーナにおけるＲＨは、８５％前後であった。２日後に、基質毎の捕食者の卵数及び
存在する成虫数を計数した（雄個体は統計から除外した）。このため、全担体粒子を個々
に精査し、追加の食物を添加した後、２日後にも点検した。カイ二乗適合度検定（１変数
）を用いて、種毎の基質毎の結果を統計解析した。
【００４２】
＜結果＞
各基質に見られた雌の総数（３回複製後）を図５（パネルＡ）に提示する。全スタート
アップ雌（３０匹）のうち、基質から大部分の個体を回収した、即ち、全Ａ．ｌｉｍｏｎ
ｉｃｕｓの８７％（２６個体）及び全Ａ．ｓｗｉｒｓｋｉｉの６０％（１８個体）。よっ
て、材料が食物源から明らかに分離されたとしても、大部分の雌ダニはこの担体に見られ
た。両方の試験は、担体材料の間に有意差を示した（ｐ＝０．０００）。
【００４３】
各担体に見られた卵（及び幼生）の総数（３回複製後）を図５のパネルＢに示す。雌ダ
ニの発生率が、担体上に産み付けられた卵数と相関することが明らかである。両方の試験
は、担体材料の間に有意差を示した（ｐ＝０．０００）。
【００４４】
結果は、本実験においてアワもみ殻によって表されるダニシェルターを提供する担体材
料が、捕食性ダニ種、特にＰｈｙｔｏｓｅｉｉｄ種等、ダニ種に非常に好まれることを示
す。
【００４５】
［実施例ＩＩ］
＜セットアップ＞
厚い層の培地を調製して、大量飼育装置一式をシミュレートした。担体材料として、ふ
すま又はアワもみ殻（両者共に湿らせる）のいずれかを用いた。ふすまは、商業的ダニ飼
育において用いられる標準担体である。もみ殻は、ダニシェルターを有する本発明による
担体の代表である。両者共に凍結形態のＣａｒｐｏｇｌｙｐｈｕｓ  ｌａｃｔｉｓを含む
２種の食物型（Ａ及びＢ）を用いた。スタートアップ飼育において、捕食性ダニ、Ａ．ｌ
ｉｍｏｎｉｃｕｓを、薄層試験培地において２世代超に亘り飼育した。その後の飼育は、
換気された箱（Ｌ×Ｗ×Ｈ＝１５×１５×８ｃｍ）の中で６〜７ｃｍの高さの層において
２週間行った。試料採取、餌やり及び混合は、週に２回行った。試験は、２１℃及び９３
％ＲＨにおいて２回複製して行った。週毎に、試料から生きた捕食者及び餌ダニの数を計
数した。
【００４６】
＜結果＞
結果を図６に提示する。もみ殻飼育における捕食者密度は、両方の食物型において、第
１週及び第２週において増加している。ふすま混合物において、飼育は、第１週には維持
されているが、第２週に崩壊する。捕食者数の減少に続いて、餌ダニ数が増加し、これに
よって、これらの飼育混合物の継続が困難なものとなる。試験は、標準ふすま担体と比較
して、もみ殻担体について肯定的である正味の結果を示す。
【００４７】
［参考文献］
【表１】
2018019713.tif 000003
【図１】
2018019713.tif 000004
【図２】
2018019713.tif 000005
【図３】
2018019713.tif 000006
【図４】
2018019713.tif 000007
【図５ａ】
2018019713.tif 000008
【図５ｂ】
2018019713.tif 000009
【図６】
2018019713.tif 000010
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
ダニ種個体の個体群と、
前記ダニ種個体のための食物源と、
アワ由来のもみ殻の担体要素を含む、前記ダニ種個体のための担体であって、前記担体要素の積み重なりがダニシェルターの構造を形成している、担体と
を含むダニ組成物。
【請求項２】
ダニ種個体の個体群を飼育するための方法であって、
（ｉ）請求項１に記載のダニ組成物を用意するステップと、
（ｉｉ）前記ダニ種個体の個体群に食物源を食させるステップと
を含む方法。
【請求項３】
ダニ種を飼育するための飼育装置であって、請求項１に記載のダニ組成物を収容する容器であって、前記ダニ種の少なくとも１つの運動性の生活段階のための出口を含む容器を含む飼育装置。
【請求項４】
作物保護のための、請求項１に記載のダニ組成物の使用であって、前記ダニ種が、
ｉ）Ｐｈｙｔｏｓｅｉｉｄａｅ、例えば、
Ａｍｂｌｙｓｅｉｉｎａｅの亜科、例えば、Ａｍｂｌｙｓｅｉｕｓ属、例えば、Ａｍｂｌｙｓｅｉｕｓ  ａｎｄｅｒｓｏｎｉ、Ａｍｂｌｙｓｅｉｕｓ  ａｅｒｉａｌｉｓ、Ａｍｂｌｙｓｅｉｕｓ  ｓｗｉｒｓｋｉｉ、Ａｍｂｌｙｓｅｉｕｓ  ｈｅｒｂｉｃｏｌｕｓ又はＡｍｂｌｙｓｅｉｕｓ  ｌａｒｇｏｅｎｓｉｓ、Ｅｕｓｅｉｕｓ属、例えば、Ｅｕｓｅｉｕｓ  ｆｉｎｌａｎｄｉｃｕｓ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏ又はＥｕｓｅｉｕｓ  ｃｉｔｒｉ、Ｎｅｏｓｅｉｕｌｕｓ属、例えば、Ｎｅｏｓｅｉｕｌｕｓ  ｂａｒｋｅｒｉ、Ｎｅｏｓｅｉｕｌｕｓ  ｃａｌｉｆｏｒｎｉｃｕｓ、Ｎｅｏｓｅｉｕｌｕｓ  ｃｕｃｕｍｅｒｉｓ、Ｎｅｏｓｅｉｕｌｕｓ  ｌｏｎｇｉｓｐｉｎｏｓｕｓ、Ｎｅｏｓｅｉｕｌｕｓ  ｗｏｍｅｒｓｌｅｙｉ、Ｎｅｏｓｅｉｕｌｕｓ  ｉｄａｅｕｓ、Ｎｅｏｓｅｉｕｌｕｓ  ａｎｏｎｙｍｕｓ、Ｎｅｏｓｅｉｕｌｕｓ  ｐａｓｐａｌｉｖｏｒｕｓ、Ｎｅｏｓｅｉｕｌｕｓ  ｒｅｄｕｃｔｕｓ又はＮｅｏｓｅｉｕｌｕｓ  ｆａｌｌａｃｉｓ、Ａｍｂｌｙｄｒｏｍａｌｕｓ属、例えば、Ａｍｂｌｙｄｒｏｍａｌｕｓ  ｌｉｍｏｎｉｃｕｓ、Ｔｙｐｈｌｏｄｒｏｍａｌｕｓ属、例えば、Ｔｙｐｈｌｏｄｒｏｍａｌｕｓ  ａｒｉｐｏ、Ｔｙｐｈｌｏｄｒｏｍａｌｕｓ  ｌａｉｌａ又はＴｙｐｈｌｏｄｒｏｍａｌｕｓ  ｐｅｒｅｇｒｉｎｕｓ、Ｔｙｐｈｌｏｄｒｏｍｉｐｓ属、例えば、Ｔｙｐｈｌｏｄｒｏｍｉｐｓ  ｍｏｎｔｄｏｒｅｎｓｉｓ、Ｐｈｙｔｏｓｅｉｕｌｕｓ属、例えば、Ｐｈｙｔｏｓｅｉｕｌｕｓ  ｐｅｒｓｉｍｉｌｉｓ、Ｐｈｙｔｏｓｅｉｕｌｕｓ  ｍａｃｒｏｐｉｌｉｓ、Ｐｈｙｔｏｓｅｉｕｌｕｓ  ｌｏｎｇｉｐｅｓ、Ｐｈｙｔｏｓｅｉｕｌｕｓ  ｆｒａｇａｒｉａｅからのもの、
Ｔｙｐｈｌｏｄｒｏｍｉｎａｅの亜科、例えば、Ｇａｌｅｎｄｒｏｍｕｓ属、例えば、Ｇａｌｅｎｄｒｏｍｕｓ  ｏｃｃｉｄｅｎｔａｌｉｓ、Ｔｙｐｈｌｏｄｒｏｍｕｓ属、例えば、Ｔｙｐｈｌｏｄｒｏｍｕｓ  ｐｙｒｉ、Ｔｙｐｈｌｏｄｒｏｍｕｓ  ｄｏｒｅｅｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍｕｌｌｅｒ）等のＰｒｏｃｔｏｌａｅｌａｐｓ属；Ｂｌａｔｔｉｓｏｃｉｕｓ属、例えば、Ｂｌａｔｔｉｓｏｃｉｕｓ  ｔａｒｓａｌｉｓ（Ｂｅｒｌｅｓｅ）、Ｂｌａｔｔｉｓｏｃｉｕｓ  ｋｅｅｇａｎｉ（Ｆｏｘ）；Ｌａｓｉｏｓｅｉｕｓ属、例えば、Ｌａｓｉｏｓｅｉｕｓ  ｆｉｍｅｔｏｒｕｍ  Ｋａｒｇ、Ｌａｓｉｏｓｅｉｕｓ  ｆｌｏｒｉｄｅｎｓｉｓ  Ｂｅｒｌｅｓｅ、Ｌａｓｉｏｓｅｉｕｓ  ｂｉｓｐｉｎｏｓｕｓ  Ｅｖａｎｓ、Ｌａｓｉｏｓｅｉｕｓ  ｄｅｎｔａｔｕｓ  Ｆｏｘ、Ｌａｓｉｏｓｅｉｕｓ  ｓｃａｐｕｌａｔｕｓ（Ｋｅｎｅｔｔ）、Ｌａｓｉｏｓｅｉｕｓ  ａｔｈｉａｓａｅ  Ｎａｗａｒ＆Ｎａｓｒ；Ａｒｃｔｏｓｅｉｕｓ属、例えば、Ａｒｃｔｏｓｅｉｕｓ  ｓｅｍｉｓｃｉｓｓｕｓ（Ｂｅｒｌｅｓｅ）；Ｐｒｏｔｏｇａｍａｓｅｌｌｕｓ属、例えば、Ｐｒｏｔｏｇａｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、Ｓｔｒａｔｉｏｌａｅｌａｐｓ  ｓｃｉｍｉｔｕｓ（Ｗｏｍｅｒｓｌｅｙ）（Ｈｙｐｏａｓｐｉｓ属にも置かれる）；Ｇｅｏｌａｅｌａｐｓ、例えば、Ｇｅｏｌａｅｌａｐｓ  ａｃｕｌｅｉｆｅｒ（Ｃａｎｅｓｔｒｉｎｉ）（Ｈｙｐｏａｓｐｉｓ属にも置かれる）；Ａｎｄｒｏｌａｅｌａｐｓ、例えば、Ａｎｄｒｏｌａｅｌａｐｓ  ｃａｓａｌｉｓ  ｃａｓａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍａｃｒｏｃｈｅｌｅｓ  ｒｏｂｕｓｔｕｌｕｓ（Ｂｅｒｌｅｓｅ）、Ｍａｃｒｏｃｈｅｌｅｓ  ｍｕｓｃａｅｄｏｍｅｓｔｉｃａｅ（Ｓｃｏｐｏｌｉ）、Ｍａｃｒｏｃｈｅｌｅｓ  ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａｍａｓｕｓｑｕｉｓｑｕｉｌｉａｒｕｍ  Ｃａｎｅｓｔｒｉｎｉ；Ｐａｒａｓｉｔｕｓ、例えば、Ｐａｒａｓｉｔｕｓｆｉｍｅｔｏｒｕｍ（Ｂｅｒｌｅｓｅ）、Ｐａｒａｓｉｔｕｓ  ｂｉｔｕｂｅｒｏｓｕｓ  Ｋａｒｇからのもの、
から選択されるものなどの、Ｍｅｓｏｓｔｉｇｍａｔｉｄダニ種、
ｖｉ）Ｔｙｄｅｉｄａｅ、例えば、Ｈｏｍｅｏｐｒｏｎｅｍａｔｕｓ属、例えば、Ｈｏｍｅｏｐｒｏｎｅｍａｔｕｓ  ａｎｃｏｎａｉ（Ｂａｋｅｒ）；Ｔｙｄｅｕｓ属、例えば、Ｔｙｄｅｕｓ  ｌａｍｂｉ（Ｂａｋｅｒ）、Ｔｙｄｅｕｓ  ｃａｕｄａｔｕｓ（Ｄｕｇｅｓ）、Ｔｙｄｅｕｓ  ｌａｍｂｉ（Ｂａｋｅｒ）；Ｐｒｏｎｅｍａｔｕｓ属、例えば、Ｐｒｏｎｅｍａｔｕｓ  ｕｂｉｑｕｉｔｏｕｓ（ＭｃＧｒｅｇｏｒ）からのもの、
ｖｉｉ）Ｃｈｅｙｌｅｔｉｄａｅ、例えば、Ｃｈｅｙｌｅｔｕｓ属、例えば、Ｃｈｅｙｌｅｔｕｓ  ｅｒｕｄｉｔｕｓ（Ｓｃｈｒａｎｋ）、Ｃｈｅｙｌｅｔｕｓ  ｍａｌａｃｃｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌｅｏｓｃｉｒｕｓ  ｓｉｍｐｌｅｘ（Ｅｗｉｎｇ）、Ｃｕｎａｘａ属、例えば、Ｃｕｎａｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌａｕｓｔｉｕｍ  ｐｕｔｍａｎｉ  Ｓｍｉｌｅｙ、Ｂａｌａｕｓｔｉｕｍ  ｍｅｄｉｃａｇｏｅｎｓｅ  Ｍｅｙｅｒ＆Ｒｙｋｅ、Ｂａｌａｕｓｔｉｕｍ  ｍｕｒｏｒｕｍ（Ｈｅｒｍａｎｎ）からのもの、
ｘ）Ｓｔｉｇｍａｅｉｄａｅ、例えば、Ａｇｉｓｔｅｍｕｓ属、例えば、Ａｇｉｓｔｅｍｕｓ  ｅｘｓｅｒｔｕｓ  Ｇｏｎｚａｌｅｚ；Ｚｅｔｚｅｌｌｉａ属、例えば、Ｚｅｔｚｅｌｌｉａｍａｌｉ（Ｅｗｉｎｇ）からのもの
からなどの、Ｐｒｏｓｔｉｇｍａｔｉｄダニ種
から選択される捕食性ダニ種などの、捕食性ダニ種として選択される使用。
【請求項５】
Ｍｅｓｏｓｔｉｇｍａｔｉｄダニ種又はＰｒｏｓｔｉｇｍａｔｉｄダニ種から選択されるダニ種の個体群を飼育するための、アワ由来のもみ殻の担体要素を含む担体材料の使用であって、前記担体要素の積み重なりが、ダニシェルターの構造を形成している、使用。
【手続補正２】
【補正対象書類名】明細書
【補正対象項目名】００４６
【補正方法】変更
【補正の内容】
【００４６】
＜結果＞
結果を図６に提示する。もみ殻飼育における捕食者密度は、両方の食物型において、第１週及び第２週において増加している。ふすま混合物において、飼育は、第１週には維持されているが、第２週に崩壊する。捕食者数の減少に続いて、餌ダニ数が増加し、これによって、これらの飼育混合物の継続が困難なものとなる。試験は、標準ふすま担体と比較して、もみ殻担体について肯定的である正味の結果を示す。
［実施形態１］
ダニ種、好ましくは、Ｍｅｓｏｓｔｉｇｍａｔｉｄダニ種又はＰｒｏｓｔｉｇｍａｔｉｄダニ種から選択されるダニ種個体の個体群と、
前記ダニ個体のための食物源と、
担体要素、好ましくは約１．０〜１５．０ｍｍ、例えば３．０〜９．０ｍｍの最長軸を有する担体要素を含む、前記ダニ種個体のための担体と
を含むダニ組成物であって、前記担体要素の積み重なりが、ダニ個体のためのシェルターを含むダニ組成物。
［実施形態２］
前記シェルターが、区域を含み、ダニ個体がこの区域に位置する場合、前記区域において、前記担体要素の材料が、直交性又は逆向きの関係を有する少なくとも３方向において、好ましくは、係る方向の少なくとも４方向において、最も好ましくは、係る方向の少なくとも５方向において、その周囲からダニ個体を遮蔽する、実施形態１に記載の組成物。
［実施形態３］
前記シェルターが、空隙、例えば、窪み、凹部、孔、チャンバ、空洞、隙間、凹み、ポケット、チューブ及び同様の構造により形成される空隙を含む、実施形態１又は２に記載の組成物。
［実施形態４］
担体要素が、もみ殻、好ましくは、草種（イネ科植物）由来のもみ殻、最も好ましくは、コムギ、オリザ種、ライムギ、カラスムギ又はアワ由来のもみ殻、特に、アワ由来のもみ殻等、穀類種由来のもみ殻に由来する、実施形態１〜３のいずれか１項に記載の組成物。
［実施形態５］
前記ダニ種が、
以下：
ｉ）Ｐｈｙｔｏｓｅｉｉｄａｅ、例えば、
Ａｍｂｌｙｓｅｉｉｎａｅ亜科、例えば、Ａｍｂｌｙｓｅｉｕｓ属、例えば、Ａｍｂｌｙｓｅｉｕｓ  ａｎｄｅｒｓｏｎｉ、Ａｍｂｌｙｓｅｉｕｓ  ａｅｒｉａｌｉｓ、Ａｍｂｌｙｓｅｉｕｓ  ｓｗｉｒｓｋｉｉ、Ａｍｂｌｙｓｅｉｕｓ  ｈｅｒｂｉｃｏｌｕｓ又はＡｍｂｌｙｓｅｉｕｓ  ｌａｒｇｏｅｎｓｉｓ、Ｅｕｓｅｉｕｓ属、例えば、Ｅｕｓｅｉｕｓ  ｆｉｎｌａｎｄｉｃｕｓ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏ又はＥｕｓｅｉｕｓ  ｃｉｔｒｉ、Ｎｅｏｓｅｉｕｌｕｓ属、例えば、Ｎｅｏｓｅｉｕｌｕｓ  ｂａｒｋｅｒｉ、Ｎｅｏｓｅｉｕｌｕｓ  ｃａｌｉｆｏｒｎｉｃｕｓ、Ｎｅｏｓｅｉｕｌｕｓ  ｃｕｃｕｍｅｒｉｓ、Ｎｅｏｓｅｉｕｌｕｓ  ｌｏｎｇｉｓｐｉｎｏｓｕｓ、Ｎｅｏｓｅｉｕｌｕｓ  ｗｏｍｅｒｓｌｅｙｉ、Ｎｅｏｓｅｉｕｌｕｓ  ｉｄａｅｕｓ、Ｎｅｏｓｅｉｕｌｕｓ  ａｎｏｎｙｍｕｓ、Ｎｅｏｓｅｉｕｌｕｓ  ｐａｓｐａｌｉｖｏｒｕｓ、Ｎｅｏｓｅｉｕｌｕｓ  ｒｅｄｕｃｔｕｓ又はＮｅｏｓｅｉｕｌｕｓ  ｆａｌｌａｃｉｓ、Ａｍｂｌｙｄｒｏｍａｌｕｓ属、例えば、Ａｍｂｌｙｄｒｏｍａｌｕｓ  ｌｉｍｏｎｉｃｕｓ、Ｔｙｐｈｌｏｄｒｏｍａｌｕｓ属、例えば、Ｔｙｐｈｌｏｄｒｏｍａｌｕｓ  ａｒｉｐｏ、Ｔｙｐｈｌｏｄｒｏｍａｌｕｓ  ｌａｉｌａ又はＴｙｐｈｌｏｄｒｏｍａｌｕｓ  ｐｅｒｅｇｒｉｎｕｓ、Ｔｙｐｈｌｏｄｒｏｍｉｐｓ属、例えば、Ｔｙｐｈｌｏｄｒｏｍｉｐｓ  ｍｏｎｔｄｏｒｅｎｓｉｓ、Ｐｈｙｔｏｓｅｉｕｌｕｓ属、例えば、Ｐｈｙｔｏｓｅｉｕｌｕｓ  ｐｅｒｓｉｍｉｌｉｓ、Ｐｈｙｔｏｓｅｉｕｌｕｓ  ｍａｃｒｏｐｉｌｉｓ、Ｐｈｙｔｏｓｅｉｕｌｕｓ  ｌｏｎｇｉｐｅｓ、Ｐｈｙｔｏｓｅｉｕｌｕｓ  ｆｒａｇａｒｉａｅからのもの、
Ｔｙｐｈｌｏｄｒｏｍｉｎａｅ亜科、例えば、Ｇａｌｅｎｄｒｏｍｕｓ属、例えば、Ｇａｌｅｎｄｒｏｍｕｓ  ｏｃｃｉｄｅｎｔａｌｉｓ、Ｔｙｐｈｌｏｄｒｏｍｕｓ属、例えば、Ｔｙｐｈｌｏｄｒｏｍｕｓ  ｐｙｒｉ、Ｔｙｐｈｌｏｄｒｏｍｕｓ  ｄｏｒｅｅｎａｅ又はＴｙｐｈｌｏｄｒｏｍｕｓ  ａｔｈｉａｓａｅからのもの
ｉｉ）Ａｓｃｉｄａｅ、例えば、Ｐｒｏｃｔｏｌａｅｌａｐｓ  ｐｙｇｍａｅｕｓ（Ｍｕｌｌｅｒ）等のＰｒｏｃｔｏｌａｅｌａｐｓ属；Ｂｌａｔｔｉｓｏｃｉｕｓ属、例えば、Ｂｌａｔｔｉｓｏｃｉｕｓ  ｔａｒｓａｌｉｓ（Ｂｅｒｌｅｓｅ）、Ｂｌａｔｔｉｓｏｃｉｕｓ  ｋｅｅｇａｎｉ（Ｆｏｘ）；Ｌａｓｉｏｓｅｉｕｓ属、例えば、Ｌａｓｉｏｓｅｉｕｓ  ｆｉｍｅｔｏｒｕｍ  Ｋａｒｇ、Ｌａｓｉｏｓｅｉｕｓ  ｆｌｏｒｉｄｅｎｓｉｓ  Ｂｅｒｌｅｓｅ、Ｌａｓｉｏｓｅｉｕｓ  ｂｉｓｐｉｎｏｓｕｓ  Ｅｖａｎｓ、Ｌａｓｉｏｓｅｉｕｓ  ｄｅｎｔａｔｕｓ  Ｆｏｘ、Ｌａｓｉｏｓｅｉｕｓ  ｓｃａｐｕｌａｔｕｓ（Ｋｅｎｅｔｔ）、Ｌａｓｉｏｓｅｉｕｓ  ａｔｈｉａｓａｅ  Ｎａｗａｒ＆Ｎａｓｒ；Ａｒｃｔｏｓｅｉｕｓ属、例えば、Ａｒｃｔｏｓｅｉｕｓ  ｓｅｍｉｓｃｉｓｓｕｓ（Ｂｅｒｌｅｓｅ）；Ｐｒｏｔｏｇａｍａｓｅｌｌｕｓ属、例えば、Ｐｒｏｔｏｇａｍａｓｅｌｌｕｓ  ｄｉｏｓｃｏｒｕｓ  Ｍａｎｓｏｎからもの、
ｉｉｉ）Ｌａｅｌａｐｉｄａｅ、例えば、Ｓｔｒａｔｉｏｌａｅｌａｐｓ属、例えば、Ｓｔｒａｔｉｏｌａｅｌａｐｓ  ｓｃｉｍｉｔｕｓ（Ｗｏｍｅｒｓｌｅｙ）（Ｈｙｐｏａｓｐｉｓ属にも置かれる）；Ｇｅｏｌａｅｌａｐｓ、例えば、Ｇｅｏｌａｅｌａｐｓ  ａｃｕｌｅｉｆｅｒ（Ｃａｎｅｓｔｒｉｎｉ）（Ｈｙｐｏａｓｐｉｓ属にも置かれる）；Ａｎｄｒｏｌａｅｌａｐｓ、例えば、Ａｎｄｒｏｌａｅｌａｐｓ  ｃａｓａｌｉｓ  ｃａｓａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍａｃｒｏｃｈｅｌｅｓ  ｒｏｂｕｓｔｕｌｕｓ（Ｂｅｒｌｅｓｅ）、Ｍａｃｒｏｃｈｅｌｅｓ  ｍｕｓｃａｅｄｏｍｅｓｔｉｃａｅ（Ｓｃｏｐｏｌｉ）、Ｍａｃｒｏｃｈｅｌｅｓ  ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａｍａｓｕｓ  ｑｕｉｓｑｕｉｌｉａｒｕｍ  Ｃａｎｅｓｔｒｉｎｉ；Ｐａｒａｓｉｔｕｓ、例えば、Ｐａｒａｓｉｔｕｓ  ｆｉｍｅｔｏｒｕｍ（Ｂｅｒｌｅｓｅ）、Ｐａｒａｓｉｔｕｓ  ｂｉｔｕｂｅｒｏｓｕｓ  Ｋａｒｇからのもの
から選択されるものなどの、Ｍｅｓｏｓｔｉｇｍａｔｉｄダニ種、
ｘｉ）Ｔｙｄｅｉｄａｅ、例えば、Ｈｏｍｅｏｐｒｏｎｅｍａｔｕｓ属、例えば、Ｈｏｍｅｏｐｒｏｎｅｍａｔｕｓ  ａｎｃｏｎａｉ（Ｂａｋｅｒ）；Ｔｙｄｅｕｓ属、例えば、Ｔｙｄｅｕｓ  ｌａｍｂｉ（Ｂａｋｅｒ）、Ｔｙｄｅｕｓ  ｃａｕｄａｔｕｓ（Ｄｕｇｅｓ）、Ｔｙｄｅｕｓ  ｌａｍｂｉ（Ｂａｋｅｒ）；Ｐｒｏｎｅｍａｔｕｓ属、例えば、Ｐｒｏｎｅｍａｔｕｓ  ｕｂｉｑｕｉｔｏｕｓ（ＭｃＧｒｅｇｏｒ）からのもの、  
ｘｉｉ）Ｃｈｅｙｌｅｔｉｄａｅ、例えば、Ｃｈｅｙｌｅｔｕｓ属、例えば、Ｃｈｅｙｌｅｔｕｓ  ｅｒｕｄｉｔｕｓ（Ｓｃｈｒａｎｋ）、Ｃｈｅｙｌｅｔｕｓ  ｍａｌａｃｃｅｎｓｉｓ  Ｏｕｄｅｍａｎｓからのもの、
ｘｉｉｉ）Ｃｕｎａｘｉｄａｅ、例えば、Ｃｏｌｅｏｓｃｉｒｕｓ属、例えば、Ｃｏｌｅｏｓｃｉｒｕｓ  ｓｉｍｐｌｅｘ（Ｅｗｉｎｇ）、Ｃｕｎａｘａ属、例えば、Ｃｕｎａｘａ  ｓｅｔｉｒｏｓｔｒｉｓ（Ｈｅｒｍａｎｎ）からのもの、
ｘｉｖ）Ｅｒｙｔｈｒａｅｉｄａｅ、例えば、Ｂａｌａｕｓｔｉｕｍ属、例えば、Ｂａｌａｕｓｔｉｕｍ  ｐｕｔｍａｎｉ  Ｓｍｉｌｅｙ、Ｂａｌａｕｓｔｉｕｍ  ｍｅｄｉｃａｇｏｅｎｓｅ  Ｍｅｙｅｒ＆Ｒｙｋｅ、Ｂａｌａｕｓｔｉｕｍ  ｍｕｒｏｒｕｍ（Ｈｅｒｍａｎｎ）からのもの、
ｘ）Ｓｔｉｇｍａｅｉｄａｅ、例えば、Ａｇｉｓｔｅｍｕｓ属、例えば、Ａｇｉｓｔｅｍｕｓ  ｅｘｓｅｒｔｕｓ  Ｇｏｎｚａｌｅｚ；Ｚｅｔｚｅｌｌｉａ属、例えば、Ｚｅｔｚｅｌｌｉａｍａｌｉ（Ｅｗｉｎｇ）からのもの
からなどのＰｒｏｓｔｉｇｍａｔｉｄダニ種
から選択される、実施形態１〜４のいずれかに記載の組成物。
［実施形態６］
前記ダニ種が、Ｐｈｙｔｏｓｅｉｉｄ種、好ましくは、Ａｍｂｌｙｓｅｉｕｓ  ｓｗｉｒｓｋｉｉ、Ａｍｂｌｙｓｉｅｕｓ  ａｅｒｉａｌｉｓ、Ａｍｂｌｙｓｅｉｕｓ  ａｎｄｅｒｓｏｎｉ、Ｎｅｏｓｅｉｕｌｕｓ  ｂａｒｋｅｒｉ、Ｎｅｏｓｅｉｕｌｕｓ  ｃａｌｉｆｏｒｎｉｃｕｓ、Ｎｅｏｓｅｉｕｌｕｓ  ｃｕｃｕｍｅｒｉｓ、Ｎｅｏｓｅｉｕｌｕｓ  ｆａｌｌａｃｉｓ、Ｔｙｐｈｌｏｄｒｏｍｉｐｓ  ｍｏｎｔｄｏｒｅｎｓｉｓ又はＡｍｂｌｙｄｒｏｍａｌｕｓ  ｌｉｍｏｎｉｃｕｓから選択されるＰｈｙｔｏｓｅｉｉｄ種である、実施形態１〜５のいずれかに記載の組成物。
［実施形態７］
ダニ種個体の個体群を飼育するための方法であって、
（ｉ）実施形態１〜６に記載のダニ組成物を用意するステップと、
（ｉｉ）前記ダニ種個体の個体群に食物源を食させるステップと
を含む方法。
［実施形態８］
作物における生物学的有害生物防除のための方法であって、前記作物に実施形態１〜６のいずれかに記載のダニ組成物を与えるステップを含み、前記ダニ種が、
ｉ）Ｐｈｙｔｏｓｅｉｉｄａｅ、例えば、
Ａｍｂｌｙｓｅｉｉｎａｅの亜科、例えば、Ａｍｂｌｙｓｅｉｕｓ属、例えば、Ａｍｂｌｙｓｅｉｕｓ  ａｎｄｅｒｓｏｎｉ、Ａｍｂｌｙｓｅｉｕｓ  ａｅｒｉａｌｉｓ、Ａｍｂｌｙｓｅｉｕｓ  ｓｗｉｒｓｋｉｉ、Ａｍｂｌｙｓｅｉｕｓ  ｈｅｒｂｉｃｏｌｕｓ又はＡｍｂｌｙｓｅｉｕｓ  ｌａｒｇｏｅｎｓｉｓ、Ｅｕｓｅｉｕｓ属、例えば、Ｅｕｓｅｉｕｓ  ｆｉｎｌａｎｄｉｃｕｓ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏ又はＥｕｓｅｉｕｓ  ｃｉｔｒｉ、Ｎｅｏｓｅｉｕｌｕｓ属、例えば、Ｎｅｏｓｅｉｕｌｕｓ  ｂａｒｋｅｒｉ、Ｎｅｏｓｅｉｕｌｕｓ  ｃａｌｉｆｏｒｎｉｃｕｓ、Ｎｅｏｓｅｉｕｌｕｓ  ｃｕｃｕｍｅｒｉｓ、Ｎｅｏｓｅｉｕｌｕｓ  ｌｏｎｇｉｓｐｉｎｏｓｕｓ、Ｎｅｏｓｅｉｕｌｕｓ  ｗｏｍｅｒｓｌｅｙｉ、Ｎｅｏｓｅｉｕｌｕｓ  ｉｄａｅｕｓ、Ｎｅｏｓｅｉｕｌｕｓ  ａｎｏｎｙｍｕｓ、Ｎｅｏｓｅｉｕｌｕｓ  ｐａｓｐａｌｉｖｏｒｕｓ、Ｎｅｏｓｅｉｕｌｕｓ  ｒｅｄｕｃｔｕｓ又はＮｅｏｓｅｉｕｌｕｓ  ｆａｌｌａｃｉｓ、Ａｍｂｌｙｄｒｏｍａｌｕｓ属、例えば、Ａｍｂｌｙｄｒｏｍａｌｕｓ  ｌｉｍｏｎｉｃｕｓ、Ｔｙｐｈｌｏｄｒｏｍａｌｕｓ属、例えば、Ｔｙｐｈｌｏｄｒｏｍａｌｕｓ  ａｒｉｐｏ、Ｔｙｐｈｌｏｄｒｏｍａｌｕｓ  ｌａｉｌａ又はＴｙｐｈｌｏｄｒｏｍａｌｕｓ  ｐｅｒｅｇｒｉｎｕｓ、Ｔｙｐｈｌｏｄｒｏｍｉｐｓ属、例えば、Ｔｙｐｈｌｏｄｒｏｍｉｐｓ  ｍｏｎｔｄｏｒｅｎｓｉｓ、Ｐｈｙｔｏｓｅｉｕｌｕｓ属、例えば、Ｐｈｙｔｏｓｅｉｕｌｕｓ  ｐｅｒｓｉｍｉｌｉｓ、Ｐｈｙｔｏｓｅｉｕｌｕｓ  ｍａｃｒｏｐｉｌｉｓ、Ｐｈｙｔｏｓｅｉｕｌｕｓ  ｌｏｎｇｉｐｅｓ、Ｐｈｙｔｏｓｅｉｕｌｕｓ  ｆｒａｇａｒｉａｅからのもの、
Ｔｙｐｈｌｏｄｒｏｍｉｎａｅの亜科、例えば、Ｇａｌｅｎｄｒｏｍｕｓ属、例えば、Ｇａｌｅｎｄｒｏｍｕｓ  ｏｃｃｉｄｅｎｔａｌｉｓ、Ｔｙｐｈｌｏｄｒｏｍｕｓ属、例えば、Ｔｙｐｈｌｏｄｒｏｍｕｓ  ｐｙｒｉ、Ｔｙｐｈｌｏｄｒｏｍｕｓ  ｄｏｒｅｅｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍｕｌｌｅｒ）等のＰｒｏｃｔｏｌａｅｌａｐｓ属；Ｂｌａｔｔｉｓｏｃｉｕｓ属、例えば、Ｂｌａｔｔｉｓｏｃｉｕｓ  ｔａｒｓａｌｉｓ（Ｂｅｒｌｅｓｅ）、Ｂｌａｔｔｉｓｏｃｉｕｓ  ｋｅｅｇａｎｉ（Ｆｏｘ）；Ｌａｓｉｏｓｅｉｕｓ属、例えば、Ｌａｓｉｏｓｅｉｕｓ  ｆｉｍｅｔｏｒｕｍ  Ｋａｒｇ、Ｌａｓｉｏｓｅｉｕｓ  ｆｌｏｒｉｄｅｎｓｉｓ  Ｂｅｒｌｅｓｅ、Ｌａｓｉｏｓｅｉｕｓ  ｂｉｓｐｉｎｏｓｕｓ  Ｅｖａｎｓ、Ｌａｓｉｏｓｅｉｕｓ  ｄｅｎｔａｔｕｓ  Ｆｏｘ、Ｌａｓｉｏｓｅｉｕｓ  ｓｃａｐｕｌａｔｕｓ（Ｋｅｎｅｔｔ）、Ｌａｓｉｏｓｅｉｕｓ  ａｔｈｉａｓａｅ  Ｎａｗａｒ＆Ｎａｓｒ；Ａｒｃｔｏｓｅｉｕｓ属、例えば、Ａｒｃｔｏｓｅｉｕｓ  ｓｅｍｉｓｃｉｓｓｕｓ（Ｂｅｒｌｅｓｅ）；Ｐｒｏｔｏｇａｍａｓｅｌｌｕｓ属、例えば、Ｐｒｏｔｏｇａｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、Ｓｔｒａｔｉｏｌａｅｌａｐｓ  ｓｃｉｍｉｔｕｓ（Ｗｏｍｅｒｓｌｅｙ）（Ｈｙｐｏａｓｐｉｓ属にも置かれる）；Ｇｅｏｌａｅｌａｐｓ、例えば、Ｇｅｏｌａｅｌａｐｓ  ａｃｕｌｅｉｆｅｒ（Ｃａｎｅｓｔｒｉｎｉ）（Ｈｙｐｏａｓｐｉｓ属にも置かれる）；Ａｎｄｒｏｌａｅｌａｐｓ、例えば、Ａｎｄｒｏｌａｅｌａｐｓ  ｃａｓａｌｉｓ  ｃａｓａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍａｃｒｏｃｈｅｌｅｓ  ｒｏｂｕｓｔｕｌｕｓ（Ｂｅｒｌｅｓｅ）、Ｍａｃｒｏｃｈｅｌｅｓ  ｍｕｓｃａｅｄｏｍｅｓｔｉｃａｅ（Ｓｃｏｐｏｌｉ）、Ｍａｃｒｏｃｈｅｌｅｓ  ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａｍａｓｕｓｑｕｉｓｑｕｉｌｉａｒｕｍ  Ｃａｎｅｓｔｒｉｎｉ；Ｐａｒａｓｉｔｕｓ、例えば、Ｐａｒａｓｉｔｕｓｆｉｍｅｔｏｒｕｍ（Ｂｅｒｌｅｓｅ）、Ｐａｒａｓｉｔｕｓ  ｂｉｔｕｂｅｒｏｓｕｓ  Ｋａｒｇからのもの、
から選択されるものなどの、Ｍｅｓｏｓｔｉｇｍａｔｉｄダニ種、
ｖｉ）Ｔｙｄｅｉｄａｅ、例えば、Ｈｏｍｅｏｐｒｏｎｅｍａｔｕｓ属、例えば、Ｈｏｍｅｏｐｒｏｎｅｍａｔｕｓ  ａｎｃｏｎａｉ（Ｂａｋｅｒ）；Ｔｙｄｅｕｓ属、例えば、Ｔｙｄｅｕｓ  ｌａｍｂｉ（Ｂａｋｅｒ）、Ｔｙｄｅｕｓ  ｃａｕｄａｔｕｓ（Ｄｕｇｅｓ）、Ｔｙｄｅｕｓ  ｌａｍｂｉ（Ｂａｋｅｒ）；Ｐｒｏｎｅｍａｔｕｓ属、例えば、Ｐｒｏｎｅｍａｔｕｓ  ｕｂｉｑｕｉｔｏｕｓ（ＭｃＧｒｅｇｏｒ）からのもの、  ｖｉｉ）Ｃｈｅｙｌｅｔｉｄａｅ、例えば、Ｃｈｅｙｌｅｔｕｓ属、例えば、Ｃｈｅｙｌｅｔｕｓ  ｅｒｕｄｉｔｕｓ（Ｓｃｈｒａｎｋ）、Ｃｈｅｙｌｅｔｕｓ  ｍａｌａｃｃｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌｅｏｓｃｉｒｕｓ  ｓｉｍｐｌｅｘ（Ｅｗｉｎｇ）、Ｃｕｎａｘａ属、例えば、Ｃｕｎａｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌａｕｓｔｉｕｍ  ｐｕｔｍａｎｉ  Ｓｍｉｌｅｙ、Ｂａｌａｕｓｔｉｕｍ  ｍｅｄｉｃａｇｏｅｎｓｅ  Ｍｅｙｅｒ＆Ｒｙｋｅ、Ｂａｌａｕｓｔｉｕｍ  ｍｕｒｏｒｕｍ（Ｈｅｒｍａｎｎ）からのもの、
ｘ）Ｓｔｉｇｍａｅｉｄａｅ、例えば、Ａｇｉｓｔｅｍｕｓ属、例えば、Ａｇｉｓｔｅｍｕｓ  ｅｘｓｅｒｔｕｓ  Ｇｏｎｚａｌｅｚ；Ｚｅｔｚｅｌｌｉａ属、例えば、Ｚｅｔｚｅｌｌｉａｍａｌｉ（Ｅｗｉｎｇ）からのもの
からなどの、Ｐｒｏｓｔｉｇｍａｔｉｄダニ種
から選択される捕食性ダニ種等の、捕食性ダニ種として選択される方法。
［実施形態９］
ダニ種を飼育するための飼育装置であって、実施形態１〜６のいずれかに記載の組成物を収容する容器、好ましくは、前記ダニ種の少なくとも１つの運動性の生活段階のための出口、より好ましくは、前記少なくとも１つの運動性の生活段階の徐放の達成に適した出口を含む容器を含む装置。
［実施形態１０］
作物保護のための、実施形態１〜６のいずれかに記載のダニ組成物の使用であって、前記ダニ種が、
ｉ）Ｐｈｙｔｏｓｅｉｉｄａｅ、例えば、
Ａｍｂｌｙｓｅｉｉｎａｅの亜科、例えば、Ａｍｂｌｙｓｅｉｕｓ属、例えば、Ａｍｂｌｙｓｅｉｕｓ  ａｎｄｅｒｓｏｎｉ、Ａｍｂｌｙｓｅｉｕｓ  ａｅｒｉａｌｉｓ、Ａｍｂｌｙｓｅｉｕｓ  ｓｗｉｒｓｋｉｉ、Ａｍｂｌｙｓｅｉｕｓ  ｈｅｒｂｉｃｏｌｕｓ又はＡｍｂｌｙｓｅｉｕｓ  ｌａｒｇｏｅｎｓｉｓ、Ｅｕｓｅｉｕｓ属、例えば、Ｅｕｓｅｉｕｓ  ｆｉｎｌａｎｄｉｃｕｓ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏ又はＥｕｓｅｉｕｓ  ｃｉｔｒｉ、Ｎｅｏｓｅｉｕｌｕｓ属、例えば、Ｎｅｏｓｅｉｕｌｕｓ  ｂａｒｋｅｒｉ、Ｎｅｏｓｅｉｕｌｕｓ  ｃａｌｉｆｏｒｎｉｃｕｓ、Ｎｅｏｓｅｉｕｌｕｓ  ｃｕｃｕｍｅｒｉｓ、Ｎｅｏｓｅｉｕｌｕｓ  ｌｏｎｇｉｓｐｉｎｏｓｕｓ、Ｎｅｏｓｅｉｕｌｕｓ  ｗｏｍｅｒｓｌｅｙｉ、Ｎｅｏｓｅｉｕｌｕｓ  ｉｄａｅｕｓ、Ｎｅｏｓｅｉｕｌｕｓ  ａｎｏｎｙｍｕｓ、Ｎｅｏｓｅｉｕｌｕｓ  ｐａｓｐａｌｉｖｏｒｕｓ、Ｎｅｏｓｅｉｕｌｕｓ  ｒｅｄｕｃｔｕｓ又はＮｅｏｓｅｉｕｌｕｓ  ｆａｌｌａｃｉｓ、Ａｍｂｌｙｄｒｏｍａｌｕｓ属、例えば、Ａｍｂｌｙｄｒｏｍａｌｕｓ  ｌｉｍｏｎｉｃｕｓ、Ｔｙｐｈｌｏｄｒｏｍａｌｕｓ属、例えば、Ｔｙｐｈｌｏｄｒｏｍａｌｕｓ  ａｒｉｐｏ、Ｔｙｐｈｌｏｄｒｏｍａｌｕｓ  ｌａｉｌａ又はＴｙｐｈｌｏｄｒｏｍａｌｕｓ  ｐｅｒｅｇｒｉｎｕｓ、Ｔｙｐｈｌｏｄｒｏｍｉｐｓ属、例えば、Ｔｙｐｈｌｏｄｒｏｍｉｐｓ  ｍｏｎｔｄｏｒｅｎｓｉｓ、Ｐｈｙｔｏｓｅｉｕｌｕｓ属、例えば、Ｐｈｙｔｏｓｅｉｕｌｕｓ  ｐｅｒｓｉｍｉｌｉｓ、Ｐｈｙｔｏｓｅｉｕｌｕｓ  ｍａｃｒｏｐｉｌｉｓ、Ｐｈｙｔｏｓｅｉｕｌｕｓ  ｌｏｎｇｉｐｅｓ、Ｐｈｙｔｏｓｅｉｕｌｕｓ  ｆｒａｇａｒｉａｅからのもの、
Ｔｙｐｈｌｏｄｒｏｍｉｎａｅの亜科、例えば、Ｇａｌｅｎｄｒｏｍｕｓ属、例えば、Ｇａｌｅｎｄｒｏｍｕｓ  ｏｃｃｉｄｅｎｔａｌｉｓ、Ｔｙｐｈｌｏｄｒｏｍｕｓ属、例えば、Ｔｙｐｈｌｏｄｒｏｍｕｓ  ｐｙｒｉ、Ｔｙｐｈｌｏｄｒｏｍｕｓ  ｄｏｒｅｅｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍｕｌｌｅｒ）等のＰｒｏｃｔｏｌａｅｌａｐｓ属；Ｂｌａｔｔｉｓｏｃｉｕｓ属、例えば、Ｂｌａｔｔｉｓｏｃｉｕｓ  ｔａｒｓａｌｉｓ（Ｂｅｒｌｅｓｅ）、Ｂｌａｔｔｉｓｏｃｉｕｓ  ｋｅｅｇａｎｉ（Ｆｏｘ）；Ｌａｓｉｏｓｅｉｕｓ属、例えば、Ｌａｓｉｏｓｅｉｕｓ  ｆｉｍｅｔｏｒｕｍ  Ｋａｒｇ、Ｌａｓｉｏｓｅｉｕｓ  ｆｌｏｒｉｄｅｎｓｉｓ  Ｂｅｒｌｅｓｅ、Ｌａｓｉｏｓｅｉｕｓ  ｂｉｓｐｉｎｏｓｕｓ  Ｅｖａｎｓ、Ｌａｓｉｏｓｅｉｕｓ  ｄｅｎｔａｔｕｓ  Ｆｏｘ、Ｌａｓｉｏｓｅｉｕｓ  ｓｃａｐｕｌａｔｕｓ（Ｋｅｎｅｔｔ）、Ｌａｓｉｏｓｅｉｕｓ  ａｔｈｉａｓａｅ  Ｎａｗａｒ＆Ｎａｓｒ；Ａｒｃｔｏｓｅｉｕｓ属、例えば、Ａｒｃｔｏｓｅｉｕｓ  ｓｅｍｉｓｃｉｓｓｕｓ（Ｂｅｒｌｅｓｅ）；Ｐｒｏｔｏｇａｍａｓｅｌｌｕｓ属、例えば、Ｐｒｏｔｏｇａｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、Ｓｔｒａｔｉｏｌａｅｌａｐｓ  ｓｃｉｍｉｔｕｓ（Ｗｏｍｅｒｓｌｅｙ）（Ｈｙｐｏａｓｐｉｓ属にも置かれる）；Ｇｅｏｌａｅｌａｐｓ、例えば、Ｇｅｏｌａｅｌａｐｓ  ａｃｕｌｅｉｆｅｒ（Ｃａｎｅｓｔｒｉｎｉ）（Ｈｙｐｏａｓｐｉｓ属にも置かれる）；Ａｎｄｒｏｌａｅｌａｐｓ、例えば、Ａｎｄｒｏｌａｅｌａｐｓ  ｃａｓａｌｉｓ  ｃａｓａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍａｃｒｏｃｈｅｌｅｓ  ｒｏｂｕｓｔｕｌｕｓ（Ｂｅｒｌｅｓｅ）、Ｍａｃｒｏｃｈｅｌｅｓ  ｍｕｓｃａｅｄｏｍｅｓｔｉｃａｅ（Ｓｃｏｐｏｌｉ）、Ｍａｃｒｏｃｈｅｌｅｓ  ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａｍａｓｕｓｑｕｉｓｑｕｉｌｉａｒｕｍ  Ｃａｎｅｓｔｒｉｎｉ；Ｐａｒａｓｉｔｕｓ、例えば、Ｐａｒａｓｉｔｕｓｆｉｍｅｔｏｒｕｍ（Ｂｅｒｌｅｓｅ）、Ｐａｒａｓｉｔｕｓ  ｂｉｔｕｂｅｒｏｓｕｓ  Ｋａｒｇからのもの、
から選択されるものなどの、Ｍｅｓｏｓｔｉｇｍａｔｉｄダニ種、
ｖｉ）Ｔｙｄｅｉｄａｅ、例えば、Ｈｏｍｅｏｐｒｏｎｅｍａｔｕｓ属、例えば、Ｈｏｍｅｏｐｒｏｎｅｍａｔｕｓ  ａｎｃｏｎａｉ（Ｂａｋｅｒ）；Ｔｙｄｅｕｓ属、例えば、Ｔｙｄｅｕｓ  ｌａｍｂｉ（Ｂａｋｅｒ）、Ｔｙｄｅｕｓ  ｃａｕｄａｔｕｓ（Ｄｕｇｅｓ）、Ｔｙｄｅｕｓ  ｌａｍｂｉ（Ｂａｋｅｒ）；Ｐｒｏｎｅｍａｔｕｓ属、例えば、Ｐｒｏｎｅｍａｔｕｓ  ｕｂｉｑｕｉｔｏｕｓ（ＭｃＧｒｅｇｏｒ）からのもの、  ｖｉｉ）Ｃｈｅｙｌｅｔｉｄａｅ、例えば、Ｃｈｅｙｌｅｔｕｓ属、例えば、Ｃｈｅｙｌｅｔｕｓ  ｅｒｕｄｉｔｕｓ（Ｓｃｈｒａｎｋ）、Ｃｈｅｙｌｅｔｕｓ  ｍａｌａｃｃｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌｅｏｓｃｉｒｕｓ  ｓｉｍｐｌｅｘ（Ｅｗｉｎｇ）、Ｃｕｎａｘａ属、例えば、Ｃｕｎａｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌａｕｓｔｉｕｍ  ｐｕｔｍａｎｉ  Ｓｍｉｌｅｙ、Ｂａｌａｕｓｔｉｕｍ  ｍｅｄｉｃａｇｏｅｎｓｅ  Ｍｅｙｅｒ＆Ｒｙｋｅ、Ｂａｌａｕｓｔｉｕｍ  ｍｕｒｏｒｕｍ（Ｈｅｒｍａｎｎ）からのもの、
ｘ）Ｓｔｉｇｍａｅｉｄａｅ、例えば、Ａｇｉｓｔｅｍｕｓ属、例えば、Ａｇｉｓｔｅｍｕｓ  ｅｘｓｅｒｔｕｓ  Ｇｏｎｚａｌｅｚ；Ｚｅｔｚｅｌｌｉａ属、例えば、Ｚｅｔｚｅｌｌｉａｍａｌｉ（Ｅｗｉｎｇ）からのもの
からなどの、Ｐｒｏｓｔｉｇｍａｔｉｄダニ種
から選択される捕食性ダニ種などの、捕食性ダニ種として選択される使用。
［実施形態１１］
Ｍｅｓｏｓｔｉｇｍａｔｉｄダニ種又はＰｒｏｓｔｉｇｍａｔｉｄダニ種から選択されるダニ種の個体群を飼育するための、担体要素、好ましくは、約１．０〜１５．０ｍｍ、例えば３．０〜９．０ｍｍの最長軸を有する担体要素を含む担体材料の使用であって、前記担体要素の積み重なりが、ダニ個体のためのシェルターを含む使用。
［実施形態１２］
前記シェルターが、区域を含み、ダニ個体がこの区域に位置する場合、前記区域において、前記担体要素の担体材料が、直交性又は逆向きの関係を有する少なくとも３方向において、好ましくは、このような方向の少なくとも４方向、最も好ましくは、このような方向の少なくとも５方向において、ダニ個体をその周囲から遮蔽する、実施形態１１に記載の使用。
［実施形態１３］
前記シェルターが、空隙、例えば、窪み、凹部、孔、チャンバ、空洞、隙間、凹み、ポケット、チューブ及び同様の構造により形成される空隙を含む、実施形態１１又は１２のいずれかに記載の使用。
［請求項１４］
担体要素が、もみ殻、好ましくは、草種（イネ科植物）由来のもみ殻、最も好ましくは、コムギ、オリザ種、ライムギ、カラスムギ又はアワ由来のもみ殻、特に、アワ由来のもみ殻等の、穀類種由来のもみ殻に由来する、実施形態１１〜１３のいずれかに記載の使用。
［実施形態１５］
前記ダニ種が、
ｉ）Ｐｈｙｔｏｓｅｉｉｄａｅ、例えば、
Ａｍｂｌｙｓｅｉｉｎａｅの亜科、例えば、Ａｍｂｌｙｓｅｉｕｓ属、例えば、Ａｍｂｌｙｓｅｉｕｓ  ａｎｄｅｒｓｏｎｉ、Ａｍｂｌｙｓｅｉｕｓ  ａｅｒｉａｌｉｓ、Ａｍｂｌｙｓｅｉｕｓ  ｓｗｉｒｓｋｉｉ、Ａｍｂｌｙｓｅｉｕｓ  ｈｅｒｂｉｃｏｌｕｓ又はＡｍｂｌｙｓｅｉｕｓ  ｌａｒｇｏｅｎｓｉｓ、Ｅｕｓｅｉｕｓ属、例えば、Ｅｕｓｅｉｕｓ  ｆｉｎｌａｎｄｉｃｕｓ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏ又はＥｕｓｅｉｕｓ  ｃｉｔｒｉ、Ｎｅｏｓｅｉｕｌｕｓ属、例えば、Ｎｅｏｓｅｉｕｌｕｓ  ｂａｒｋｅｒｉ、Ｎｅｏｓｅｉｕｌｕｓ  ｃａｌｉｆｏｒｎｉｃｕｓ、Ｎｅｏｓｅｉｕｌｕｓ  ｃｕｃｕｍｅｒｉｓ、Ｎｅｏｓｅｉｕｌｕｓ  ｌｏｎｇｉｓｐｉｎｏｓｕｓ、Ｎｅｏｓｅｉｕｌｕｓ  ｗｏｍｅｒｓｌｅｙｉ、Ｎｅｏｓｅｉｕｌｕｓ  ｉｄａｅｕｓ、Ｎｅｏｓｅｉｕｌｕｓ  ａｎｏｎｙｍｕｓ、Ｎｅｏｓｅｉｕｌｕｓ  ｐａｓｐａｌｉｖｏｒｕｓ、Ｎｅｏｓｅｉｕｌｕｓ  ｒｅｄｕｃｔｕｓ又はＮｅｏｓｅｉｕｌｕｓ  ｆａｌｌａｃｉｓ、Ａｍｂｌｙｄｒｏｍａｌｕｓ属、例えば、Ａｍｂｌｙｄｒｏｍａｌｕｓ  ｌｉｍｏｎｉｃｕｓ、Ｔｙｐｈｌｏｄｒｏｍａｌｕｓ属、例えば、Ｔｙｐｈｌｏｄｒｏｍａｌｕｓ  ａｒｉｐｏ、Ｔｙｐｈｌｏｄｒｏｍａｌｕｓ  ｌａｉｌａ又はＴｙｐｈｌｏｄｒｏｍａｌｕｓ  ｐｅｒｅｇｒｉｎｕｓ、Ｔｙｐｈｌｏｄｒｏｍｉｐｓ属、例えば、Ｔｙｐｈｌｏｄｒｏｍｉｐｓ  ｍｏｎｔｄｏｒｅｎｓｉｓ、Ｐｈｙｔｏｓｅｉｕｌｕｓ属、例えば、Ｐｈｙｔｏｓｅｉｕｌｕｓ  ｐｅｒｓｉｍｉｌｉｓ、Ｐｈｙｔｏｓｅｉｕｌｕｓ  ｍａｃｒｏｐｉｌｉｓ、Ｐｈｙｔｏｓｅｉｕｌｕｓ  ｌｏｎｇｉｐｅｓ、Ｐｈｙｔｏｓｅｉｕｌｕｓ  ｆｒａｇａｒｉａｅからのもの、
Ｔｙｐｈｌｏｄｒｏｍｉｎａｅの亜科、例えば、Ｇａｌｅｎｄｒｏｍｕｓ属、例えば、Ｇａｌｅｎｄｒｏｍｕｓ  ｏｃｃｉｄｅｎｔａｌｉｓ、Ｔｙｐｈｌｏｄｒｏｍｕｓ属、例えば、Ｔｙｐｈｌｏｄｒｏｍｕｓ  ｐｙｒｉ、Ｔｙｐｈｌｏｄｒｏｍｕｓ  ｄｏｒｅｅｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍｕｌｌｅｒ）等のＰｒｏｃｔｏｌａｅｌａｐｓ属；Ｂｌａｔｔｉｓｏｃｉｕｓ属、例えば、Ｂｌａｔｔｉｓｏｃｉｕｓ  ｔａｒｓａｌｉｓ（Ｂｅｒｌｅｓｅ）、Ｂｌａｔｔｉｓｏｃｉｕｓ  ｋｅｅｇａｎｉ（Ｆｏｘ）；Ｌａｓｉｏｓｅｉｕｓ属、例えば、Ｌａｓｉｏｓｅｉｕｓ  ｆｉｍｅｔｏｒｕｍ  Ｋａｒｇ、Ｌａｓｉｏｓｅｉｕｓ  ｆｌｏｒｉｄｅｎｓｉｓ  Ｂｅｒｌｅｓｅ、Ｌａｓｉｏｓｅｉｕｓ  ｂｉｓｐｉｎｏｓｕｓ  Ｅｖａｎｓ、Ｌａｓｉｏｓｅｉｕｓ  ｄｅｎｔａｔｕｓ  Ｆｏｘ、Ｌａｓｉｏｓｅｉｕｓ  ｓｃａｐｕｌａｔｕｓ（Ｋｅｎｅｔｔ）、Ｌａｓｉｏｓｅｉｕｓ  ａｔｈｉａｓａｅ  Ｎａｗａｒ＆Ｎａｓｒ；Ａｒｃｔｏｓｅｉｕｓ属、例えば、Ａｒｃｔｏｓｅｉｕｓ  ｓｅｍｉｓｃｉｓｓｕｓ（Ｂｅｒｌｅｓｅ）；Ｐｒｏｔｏｇａｍａｓｅｌｌｕｓ属、例えば、Ｐｒｏｔｏｇａｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、Ｓｔｒａｔｉｏｌａｅｌａｐｓ  ｓｃｉｍｉｔｕｓ（Ｗｏｍｅｒｓｌｅｙ）（Ｈｙｐｏａｓｐｉｓ属にも置かれる）；Ｇｅｏｌａｅｌａｐｓ、例えば、Ｇｅｏｌａｅｌａｐｓ  ａｃｕｌｅｉｆｅｒ（Ｃａｎｅｓｔｒｉｎｉ）（Ｈｙｐｏａｓｐｉｓ属にも置かれる）；Ａｎｄｒｏｌａｅｌａｐｓ、例えば、Ａｎｄｒｏｌａｅｌａｐｓ  ｃａｓａｌｉｓ  ｃａｓａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍａｃｒｏｃｈｅｌｅｓ  ｒｏｂｕｓｔｕｌｕｓ（Ｂｅｒｌｅｓｅ）、Ｍａｃｒｏｃｈｅｌｅｓ  ｍｕｓｃａｅｄｏｍｅｓｔｉｃａｅ（Ｓｃｏｐｏｌｉ）、Ｍａｃｒｏｃｈｅｌｅｓ  ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａｍａｓｕｓｑｕｉｓｑｕｉｌｉａｒｕｍ  Ｃａｎｅｓｔｒｉｎｉ；Ｐａｒａｓｉｔｕｓ、例えば、Ｐａｒａｓｉｔｕｓｆｉｍｅｔｏｒｕｍ（Ｂｅｒｌｅｓｅ）、Ｐａｒａｓｉｔｕｓ  ｂｉｔｕｂｅｒｏｓｕｓ  Ｋａｒｇからのもの
から選択されるものなどの、Ｍｅｓｏｓｔｉｇｍａｔｉｄダニ種、
ｖｉ）Ｔｙｄｅｉｄａｅ、例えば、Ｈｏｍｅｏｐｒｏｎｅｍａｔｕｓ属、例えば、Ｈｏｍｅｏｐｒｏｎｅｍａｔｕｓ  ａｎｃｏｎａｉ（Ｂａｋｅｒ）；Ｔｙｄｅｕｓ属、例えば、Ｔｙｄｅｕｓ  ｌａｍｂｉ（Ｂａｋｅｒ）、Ｔｙｄｅｕｓ  ｃａｕｄａｔｕｓ（Ｄｕｇｅｓ）、Ｔｙｄｅｕｓ  ｌａｍｂｉ（Ｂａｋｅｒ）；Ｐｒｏｎｅｍａｔｕｓ属、例えば、Ｐｒｏｎｅｍａｔｕｓ  ｕｂｉｑｕｉｔｏｕｓ（ＭｃＧｒｅｇｏｒ）からのもの、  
ｖｉｉ）Ｃｈｅｙｌｅｔｉｄａｅ、例えば、Ｃｈｅｙｌｅｔｕｓ属、例えば、Ｃｈｅｙｌｅｔｕｓ  ｅｒｕｄｉｔｕｓ（Ｓｃｈｒａｎｋ）、Ｃｈｅｙｌｅｔｕｓ  ｍａｌａｃｃｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌｅｏｓｃｉｒｕｓ  ｓｉｍｐｌｅｘ（Ｅｗｉｎｇ）、Ｃｕｎａｘａ属、例えば、Ｃｕｎａｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌａｕｓｔｉｕｍ  ｐｕｔｍａｎｉ  Ｓｍｉｌｅｙ、Ｂａｌａｕｓｔｉｕｍ  ｍｅｄｉｃａｇｏｅｎｓｅ  Ｍｅｙｅｒ＆Ｒｙｋｅ、Ｂａｌａｕｓｔｉｕｍ  ｍｕｒｏｒｕｍ（Ｈｅｒｍａｎｎ）からのもの、
ｘ）Ｓｔｉｇｍａｅｉｄａｅ、例えば、Ａｇｉｓｔｅｍｕｓ属、例えば、Ａｇｉｓｔｅｍｕｓ  ｅｘｓｅｒｔｕｓ  Ｇｏｎｚａｌｅｚ；Ｚｅｔｚｅｌｌｉａ属、例えば、Ｚｅｔｚｅｌｌｉａｍａｌｉ（Ｅｗｉｎｇ）からのもの
からなどの、Ｐｒｏｓｔｉｇｍａｔｉｄダニ種
から選択される捕食性ダニ種等、捕食性ダニ種である、実施形態１１〜１４に記載の使用。
【手続補正書】
【提出日】平成29年11月20日(2017.11.20)
【手続補正１】
【補正対象書類名】明細書
【補正対象項目名】００３８
【補正方法】変更
【補正の内容】
【００３８】
【図１】図１は、三次元直交性（デカルト）座標系を提示する。軸Ｘ、Ｙ、Ｚに沿って、原点（０，０，０）からの６方向を定義することができる（正のＸに沿う、負のＸに沿う、正のＹに沿う、負のＹに沿う、正のＺに沿う、負のＺに沿う）。これらの方向は、垂直（直交性）又は逆向きのいずれかの方向である。
【図２】図２は、シェルターの図式的概観を提示し、図中、ダニ個体（１）は、矢印（２）、（３）、（４）で示される３方向において、その周囲との相互作用から遮蔽されている。シェルターは、床部平面（５）、第１の側方平面（６）及び第２の側方平面（７）によって提供される。相互作用による影響は、依然として、矢印（８）、（９）、（１０）で示される方向の周囲から来る可能性がある。
【図３】図３は、代替的なシェルターの図式的概観を提示し、図中、ダニ個体（１）は、矢印（２）、（３）、（４）で示される３方向において、その周囲との相互作用から遮蔽されている。シェルターは、床部平面（５）、第１の側方平面（６）及び第２の側方平面（７）によって提供される。相互作用による影響は、依然として、矢印（８）、（９）、（１０）で示される方向の周囲から来る可能性がある。
【図４】図４は、シェルターの図式的概観を提示し、図中、ダニ個体（１）は、矢印（２）、（３）、（４）、（８）で示される４方向において、その周囲との相互作用から遮蔽されている。シェルターは、床部平面（５）、第１の側方平面（６）、第２の側方平面（７）及び第３の側方平面（１１）によって提供される。相互作用による影響は、依然として、矢印（９）、（１０）で示される方向の周囲から来る可能性がある。側方平面（６）、（７）、（１１）に被覆平面を配置すれば、周囲の相互作用からダニ個体を更に遮蔽することができることは明らかであろう。加えて、更に別の側方平面を側方平面（７）と垂直に配置すれば、周囲からの遮蔽を更に増強することができる。このようにして、ダニ個体（１）は、矢印（１０）で示す方向において、周囲から遮蔽することもできよう。
【図５ａ】図５ａは、２種の捕食性ダニ、Ａ．ｓｗｉｒｓｋｉｉ及びＡ．ｌｉｍｏｎｉｃｕｓを、異なる担体型に対するその嗜好性に関して試験し、各基質に見られた雌の総数（３回複製後）を提示する。
【図５ｂ】図５ｂは、２種の捕食性ダニ、Ａ．ｓｗｉｒｓｋｉｉ及びＡ．ｌｉｍｏｎｉｃｕｓを、異なる担体型に対するその嗜好性に関して試験し、各担体に見られた卵（及び幼生）の総数（３回複製後）を示す。
【図６】図６は、大量飼育装置の試験にて、担体材料として、ふすま又はアワもみ殻を用い、凍結形態のＣａｒｐｏｇｌｙｐｈｕｓ  ｌａｃｔｉｓを含む２種の食物型（Ａ及びＢ）を用いて、捕食性ダニ、Ａ．ｌｉｍｏｎｉｃｕｓの飼育を２週間行い、週毎に、試料から生きた捕食者の数を計数した結果を示す図である。